(57)【特許請求の範囲】
【請求項１】
基地局装置と通信する端末装置において、
第１の情報、第２の情報を受信し、
第３の情報を物理下りリンク制御チャネルで受信し、
前記物理下りリンク制御チャネルを検出した場合に、
前記第１の情報によって与えられるＵＬ−ＤＬ設定に基づいてスペシャルサブフレームと指示され、前記第３の情報によって与えられるＵＬ−ＤＬ設定に基づいて下りリンクサブフレームと指示されたサブフレーム（ｎ１−ｋ１）においてＣ−ＲＮＴＩによってスクランブルされたＣＲＣパリティビットが付加された下りリンク制御情報フォーマット１Ａを検出したならば、前記サブフレーム（ｎ１−ｋ１）において前記第３の情報によって与えられるＵＬ−ＤＬ設定に基づいて下りリンクサブフレームを想定して、対応する物理下りリンク共用チャネルを検出し、
前記物理下りリンク制御チャネルを検出していない場合に、
前記第１の情報によって与えられるＵＬ−ＤＬ設定に基づいてスペシャルサブフレームと指示されたサブフレーム（ｎ２−ｋ２）においてＣ−ＲＮＴＩによってスクランブルされたＣＲＣパリティビットが付加された下りリンク制御情報フォーマット１Ａを検出したならば、前記サブフレーム（ｎ２−ｋ２）において前記第１の情報によって与えられるＵＬ−ＤＬ設定に基づいてスペシャルサブフレームを想定して、対応する物理下りリンク共用チャネルを検出する受信部と、
前記サブフレーム（ｎ１−ｋ１）において検出した物理下りリンク共用チャネルに対するＨＡＲＱ−ＡＣＫを、サブフレーム（ｎ１）において送信し、
前記サブフレーム（ｎ２−ｋ２）において検出した物理下りリンク共用チャネルに対するＨＡＲＱ−ＡＣＫを、サブフレーム（ｎ２）において送信する送信部と、を備え、
前記ｋ１、および、前記ｋ２は、前記第２の情報によって与えられるＵＬ−ＤＬ設定に基づく
端末装置。
【請求項２】
端末装置と通信する基地局装置において、
第１の情報、第２の情報を送信し、
第３の情報を物理下りリンク制御チャネルで送信し、
前記物理下りリンク制御チャネルでの送信を行なった場合に、
前記第１の情報によって与えられるＵＬ−ＤＬ設定に基づいてスペシャルサブフレームと指示し、前記第３の情報によって与えられるＵＬ−ＤＬ設定に基づいて下りリンクサブフレームと指示したサブフレーム（ｎ１−ｋ１）においてＣ−ＲＮＴＩによってスクランブルされたＣＲＣパリティビットが付加された下りリンク制御情報フォーマット１Ａを送信したならば、前記サブフレーム（ｎ１−ｋ１）において前記第３の情報によって与えられるＵＬ−ＤＬ設定に基づいて下りリンクサブフレームを想定して、対応する物理下りリンク共用チャネルでの送信を行ない、
前記物理下りリンク制御チャネルでの送信を行なっていない場合に、
前記第１の情報によって与えられるＵＬ−ＤＬ設定に基づいてスペシャルサブフレームと指示したサブフレーム（ｎ２−ｋ２）においてＣ−ＲＮＴＩによってスクランブルされたＣＲＣパリティビットが付加された下りリンク制御情報フォーマット１Ａを送信したならば、前記サブフレーム（ｎ２−ｋ２）において前記第１の情報によって与えられるＵＬ−ＤＬ設定に基づいてスペシャルサブフレームを想定して、対応する物理下りリンク共用チャネルでの送信を行なう送信部と、
前記サブフレーム（ｎ１−ｋ１）において検出した物理下りリンク共用チャネルに対するＨＡＲＱ−ＡＣＫを、サブフレーム（ｎ１）において受信し、
前記サブフレーム（ｎ２−ｋ２）において検出した物理下りリンク共用チャネルに対するＨＡＲＱ−ＡＣＫを、サブフレーム（ｎ２）において受信する受信部と、を備え、
前記ｋ１、および、前記ｋ２は、前記第２の情報によって与えられるＵＬ−ＤＬ設定に基づく
基地局装置。
【請求項３】
基地局装置と通信する端末装置に搭載される集積回路において、
第１の情報、第２の情報を受信し、
第３の情報を物理下りリンク制御チャネルで受信し、
前記物理下りリンク制御チャネルを検出した場合に、
前記第１の情報によって与えられるＵＬ−ＤＬ設定に基づいてスペシャルサブフレームと指示され、前記第３の情報によって与えられるＵＬ−ＤＬ設定に基づいて下りリンクサブフレームと指示されたサブフレーム（ｎ１−ｋ１）においてＣ−ＲＮＴＩによってスクランブルされたＣＲＣパリティビットが付加された下りリンク制御情報フォーマット１Ａを検出したならば、前記サブフレーム（ｎ１−ｋ１）において前記第３の情報によって与えられるＵＬ−ＤＬ設定に基づいて下りリンクサブフレームを想定して、対応する物理下りリンク共用チャネルを検出し、
前記物理下りリンク制御チャネルを検出していない場合に、
前記第１の情報によって与えられるＵＬ−ＤＬ設定に基づいてスペシャルサブフレームと指示されたサブフレーム（ｎ２−ｋ２）においてＣ−ＲＮＴＩによってスクランブルされたＣＲＣパリティビットが付加された下りリンク制御情報フォーマット１Ａを検出したならば、前記サブフレーム（ｎ２−ｋ２）において前記第１の情報によって与えられるＵＬ−ＤＬ設定に基づいてスペシャルサブフレームを想定して、対応する物理下りリンク共用チャネルを検出する機能と、
前記サブフレーム（ｎ１−ｋ１）において検出した物理下りリンク共用チャネルに対するＨＡＲＱ−ＡＣＫを、サブフレーム（ｎ１）において送信し、
前記サブフレーム（ｎ２−ｋ２）において検出した物理下りリンク共用チャネルに対するＨＡＲＱ−ＡＣＫを、サブフレーム（ｎ２）において送信する機能と、を前記端末装置に発揮させ、
前記ｋ１、および、前記ｋ２は、前記第２の情報によって与えられるＵＬ−ＤＬ設定に基づく
集積回路。
【請求項４】
端末装置と通信する基地局装置に搭載される集積回路において、
第１の情報、第２の情報を送信し、
第３の情報を物理下りリンク制御チャネルで送信し、
前記物理下りリンク制御チャネルでの送信を行なった場合に、
前記第１の情報によって与えられるＵＬ−ＤＬ設定に基づいてスペシャルサブフレームと指示し、前記第３の情報によって与えられるＵＬ−ＤＬ設定に基づいて下りリンクサブフレームと指示したサブフレーム（ｎ１−ｋ１）においてＣ−ＲＮＴＩによってスクランブルされたＣＲＣパリティビットが付加された下りリンク制御情報フォーマット１Ａを送信したならば、前記サブフレーム（ｎ１−ｋ１）において前記第３の情報によって与えられるＵＬ−ＤＬ設定に基づいて下りリンクサブフレームを想定して、対応する物理下りリンク共用チャネルでの送信を行ない、
前記物理下りリンク制御チャネルでの送信を行なっていない場合に、
前記第１の情報によって与えられるＵＬ−ＤＬ設定に基づいてスペシャルサブフレームと指示したサブフレーム（ｎ２−ｋ２）においてＣ−ＲＮＴＩによってスクランブルされたＣＲＣパリティビットが付加された下りリンク制御情報フォーマット１Ａを送信したならば、前記サブフレーム（ｎ２−ｋ２）において前記第１の情報によって与えられるＵＬ−ＤＬ設定に基づいてスペシャルサブフレームを想定して、対応する物理下りリンク共用チャネルでの送信を行なう機能と、
前記サブフレーム（ｎ１−ｋ１）において検出した物理下りリンク共用チャネルに対するＨＡＲＱ−ＡＣＫを、サブフレーム（ｎ１）において受信し、
前記サブフレーム（ｎ２−ｋ２）において検出した物理下りリンク共用チャネルに対するＨＡＲＱ−ＡＣＫを、サブフレーム（ｎ２）において受信する機能と、を前記基地局装置に発揮させ、
前記ｋ１、および、前記ｋ２は、前記第２の情報によって与えられるＵＬ−ＤＬ設定に基づく
集積回路。
【請求項５】
基地局装置と通信する端末装置の通信方法において、
第１の情報、第２の情報を受信し、
第３の情報を物理下りリンク制御チャネルで受信し、
前記物理下りリンク制御チャネルを検出した場合に、
前記第１の情報によって与えられるＵＬ−ＤＬ設定に基づいてスペシャルサブフレームと指示され、前記第３の情報によって与えられるＵＬ−ＤＬ設定に基づいて下りリンクサブフレームと指示されたサブフレーム（ｎ１−ｋ１）においてＣ−ＲＮＴＩによってスクランブルされたＣＲＣパリティビットが付加された下りリンク制御情報フォーマット１Ａを検出したならば、前記サブフレーム（ｎ１−ｋ１）において前記第３の情報によって与えられるＵＬ−ＤＬ設定に基づいて下りリンクサブフレームを想定して、対応する物理下りリンク共用チャネルを検出し、
前記物理下りリンク制御チャネルを検出していない場合に、
前記第１の情報によって与えられるＵＬ−ＤＬ設定に基づいてスペシャルサブフレームと指示されたサブフレーム（ｎ２−ｋ２）においてＣ−ＲＮＴＩによってスクランブルされたＣＲＣパリティビットが付加された下りリンク制御情報フォーマット１Ａを検出したならば、前記サブフレーム（ｎ２−ｋ２）において前記第１の情報によって与えられるＵＬ−ＤＬ設定に基づいてスペシャルサブフレームを想定して、対応する物理下りリンク共用チャネルを検出し、
前記サブフレーム（ｎ１−ｋ１）において検出した物理下りリンク共用チャネルに対するＨＡＲＱ−ＡＣＫを、サブフレーム（ｎ１）において送信し、
前記サブフレーム（ｎ２−ｋ２）において検出した物理下りリンク共用チャネルに対するＨＡＲＱ−ＡＣＫを、サブフレーム（ｎ２）において送信し、
前記ｋ１、および、前記ｋ２は、前記第２の情報によって与えられるＵＬ−ＤＬ設定に基づく
通信方法。
【請求項６】
端末装置と通信する基地局装置の通信方法において、
第１の情報、第２の情報を送信し、
第３の情報を物理下りリンク制御チャネルで送信し、
前記物理下りリンク制御チャネルでの送信を行なった場合に、
前記第１の情報によって与えられるＵＬ−ＤＬ設定に基づいてスペシャルサブフレームと指示し、前記第３の情報によって与えられるＵＬ−ＤＬ設定に基づいて下りリンクサブフレームと指示したサブフレーム（ｎ１−ｋ１）においてＣ−ＲＮＴＩによってスクランブルされたＣＲＣパリティビットが付加された下りリンク制御情報フォーマット１Ａを送信したならば、前記サブフレーム（ｎ１−ｋ１）において前記第３の情報によって与えられるＵＬ−ＤＬ設定に基づいて下りリンクサブフレームを想定して、対応する物理下りリンク共用チャネルでの送信を行ない、
前記物理下りリンク制御チャネルでの送信を行なっていない場合に、
前記第１の情報によって与えられるＵＬ−ＤＬ設定に基づいてスペシャルサブフレームと指示したサブフレーム（ｎ２−ｋ２）においてＣ−ＲＮＴＩによってスクランブルされたＣＲＣパリティビットが付加された下りリンク制御情報フォーマット１Ａを送信したならば、前記サブフレーム（ｎ２−ｋ２）において前記第１の情報によって与えられるＵＬ−ＤＬ設定に基づいてスペシャルサブフレームを想定して、対応する物理下りリンク共用チャネルでの送信を行ない、
前記サブフレーム（ｎ１−ｋ１）において検出した物理下りリンク共用チャネルに対するＨＡＲＱ−ＡＣＫを、サブフレーム（ｎ１）において受信し、
前記サブフレーム（ｎ２−ｋ２）において検出した物理下りリンク共用チャネルに対するＨＡＲＱ−ＡＣＫを、サブフレーム（ｎ２）において受信し、
前記ｋ１、および、前記ｋ２は、前記第２の情報によって与えられるＵＬ−ＤＬ設定に基づく
通信方法。
【発明の詳細な説明】
【技術分野】
【０００１】
本発明は、端末装置、基地局装置、集積回路、および、通信方法に関する。
本願は、２０１３年９月２６日に、日本に出願された特願２０１３−１９９９１０号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。【０００４】
３ＧＰＰにおいて、トラフィックアダプテーション技術と干渉軽減技術（DL-UL Interference Management and Traffic Adaptation）をＴＤ−ＬＴＥに適用することが検討されている。トラフィックアダプテーション技術は、上りリンクのトラフィックと下りリンクのトラフィックに応じて、上りリンクリソースと下りリンクリソースの比率を変更する技術である。該トラフィックアダプテーション技術をダイナミックＴＤＤとも称する。【０００５】
非特許文献１において、フレキシブルサブフレーム（flexible subframe）を用いる方法が、トラフィックアダプテーションを実現する方法として提示されている。基地局装置は、フレキシブルサブフレームにおいて、上りリンク信号の受信または下りリンク信号の送信を行なうことができる。非特許文献１において、端末装置は、基地局装置によって、フレキシブルサブフレームにおいて上りリンク信号の送信を指示されない限り、該フレキシブルサブフレームを下りリンクサブフレームとみなす。【０００６】
非特許文献１には、新たに導入するＵＬ−ＤＬ設定（uplink-downlink configuration）に基づいてＰＤＳＣＨ（Physical Downlink Shared Channel）に対するＨＡＲＱ（Hybrid Automatic Repeat reQuest）タイミングを決定し、最初のUL-DL configurationに基づいてＰＵＳＣＨ（Physical Uplink Shared Channel）に対するＨＡＲＱタイミングを決定することが記載されている。【０００７】
また、非特許文献２には、（ａ）UL/DL Reference Configurationを導入すること、（ｂ）いくつかのサブフレームはスケジューラからのダイナミック・グラント／アサインメントによって上りリンク、または下りリンクの何れかのためにスケジュールされ得ることが記載されている。
【先行技術文献】
【非特許文献】
【０００８】
【非特許文献１】"On standardization impact of TDD UL-DL adaptation", R1-122016, Ericsson, ST-Ericsson, 3GPP TSG-RAN WG1 Meeting #69, Prague, Czech Republic, 21st - 25th May 2012.
【非特許文献２】"Signaling support for dynamic TDD", R1-130558, Ericsson, ST-Ericsson, 3GPP TSG-RAN WG1 Meeting #72, St Julian’s, Malta, 28th January-1st February 2013.
【発明の概要】
【発明が解決しようとする課題】
【０００９】
しかしながら、上述のような無線通信システムにおいて、端末装置が、下りリンクデータを受信する際の具体的な手順について記載されていなかった。例えば、基地局装置と端末装置が、物理下りリンク共用チャネル（PDSCH: Physical Downlink Shared Channel）を用いて、下りリンクデータを送受信する際の具体的な処理について記載されていなかった。【００１０】
本発明は上記の点に鑑みてなされたものであり、その目的は、下りリンクデータの送受信を効率的に行なうことができる端末装置、基地局装置、集積回路、および、通信方法を提供することを目的とする。
【課題を解決するための手段】
【００１１】
（１）上記の目的を達成するために、本発明の実施形態は、以下のような手段を講じた。すなわち、本発明の一実施形態における端末装置は、基地局装置と通信する端末装置であって、第１の情報、第２の情報を受信し、第３の情報を物理下りリンク制御チャネルで受信し、前記物理下りリンク制御チャネルを検出した場合に、前記第１の情報によって与えられるＵＬ−ＤＬ設定に基づいてスペシャルサブフレームと指示され、前記第３の情報によって与えられるＵＬ−ＤＬ設定に基づいて下りリンクサブフレームと指示されたサブフレーム（ｎ１−ｋ１）においてＣ−ＲＮＴＩによってスクランブルされたＣＲＣパリティビットが付加された下りリンク制御情報フォーマット１Ａを検出したならば、前記サブフレーム（ｎ１−ｋ１）において前記第３の情報によって与えられるＵＬ−ＤＬ設定に基づいて下りリンクサブフレームを想定して、対応する物理下りリンク共用チャネルを検出し、前記物理下りリンク制御チャネルを検出していない場合に、前記第１の情報によって与えられるＵＬ−ＤＬ設定に基づいてスペシャルサブフレームと指示されたサブフレーム（ｎ２−ｋ２）においてＣ−ＲＮＴＩによってスクランブルされたＣＲＣパリティビットが付加された下りリンク制御情報フォーマット１Ａを検出したならば、前記サブフレーム（ｎ２−ｋ２）において前記第１の情報によって与えられるＵＬ−ＤＬ設定に基づいてスペシャルサブフレームを想定して、対応する物理下りリンク共用チャネルを検出する受信部と、前記サブフレーム（ｎ１−ｋ１）において検出した物理下りリンク共用チャネルに対するＨＡＲＱ−ＡＣＫを、サブフレーム（ｎ１）において送信し、前記サブフレーム（ｎ２−ｋ２）において検出した物理下りリンク共用チャネルに対するＨＡＲＱ−ＡＣＫを、サブフレーム（ｎ２）において送信する送信部と、を備える。前記ｋ１、および、前記ｋ２は、前記第２の情報によって与えられるＵＬ−ＤＬ設定に基づく。【００１２】
（２）また、本発明の他の一実施形態における基地局装置は、端末装置と通信する基地局装置であって、第１の情報、第２の情報を送信し、第３の情報を物理下りリンク制御チャネルで送信し、前記物理下りリンク制御チャネルでの送信を行なった場合に、前記第１の情報によって与えられるＵＬ−ＤＬ設定に基づいてスペシャルサブフレームと指示し、前記第３の情報によって与えられるＵＬ−ＤＬ設定に基づいて下りリンクサブフレームと指示したサブフレーム（ｎ１−ｋ１）においてＣ−ＲＮＴＩによってスクランブルされたＣＲＣパリティビットが付加された下りリンク制御情報フォーマット１Ａを送信したならば、前記サブフレーム（ｎ１−ｋ１）において前記第３の情報によって与えられるＵＬ−ＤＬ設定に基づいて下りリンクサブフレームを想定して、対応する物理下りリンク共用チャネルでの送信を行ない、前記物理下りリンク制御チャネルでの送信を行なっていない場合に、前記第１の情報によって与えられるＵＬ−ＤＬ設定に基づいてスペシャルサブフレームと指示したサブフレーム（ｎ２−ｋ２）においてＣ−ＲＮＴＩによってスクランブルされたＣＲＣパリティビットが付加された下りリンク制御情報フォーマット１Ａを送信したならば、前記サブフレーム（ｎ２−ｋ２）において前記第１の情報によって与えられるＵＬ−ＤＬ設定に基づいてスペシャルサブフレームを想定して、対応する物理下りリンク共用チャネルでの送信を行なう送信部と、前記サブフレーム（ｎ１−ｋ１）において検出した物理下りリンク共用チャネルに対するＨＡＲＱ−ＡＣＫを、サブフレーム（ｎ１）において受信し、前記サブフレーム（ｎ２−ｋ２）において検出した物理下りリンク共用チャネルに対するＨＡＲＱ−ＡＣＫを、サブフレーム（ｎ２）において受信する受信部と、を備える。前記ｋ１、および、前記ｋ２は、前記第２の情報によって与えられるＵＬ−ＤＬ設定に基づく。【００１３】
（３）また、本発明の他の一実施形態における集積回路は、基地局装置と通信する端末装置に搭載される集積回路であって、第１の情報、第２の情報を受信し、第３の情報を物理下りリンク制御チャネルで受信し、前記物理下りリンク制御チャネルを検出した場合に、前記第１の情報によって与えられるＵＬ−ＤＬ設定に基づいてスペシャルサブフレームと指示され、前記第３の情報によって与えられるＵＬ−ＤＬ設定に基づいて下りリンクサブフレームと指示されたサブフレーム（ｎ１−ｋ１）においてＣ−ＲＮＴＩによってスクランブルされたＣＲＣパリティビットが付加された下りリンク制御情報フォーマット１Ａを検出したならば、前記サブフレーム（ｎ１−ｋ１）において前記第３の情報によって与えられるＵＬ−ＤＬ設定に基づいて下りリンクサブフレームを想定して、対応する物理下りリンク共用チャネルを検出し、前記物理下りリンク制御チャネルを検出していない場合に、前記第１の情報によって与えられるＵＬ−ＤＬ設定に基づいてスペシャルサブフレームと指示されたサブフレーム（ｎ２−ｋ２）においてＣ−ＲＮＴＩによってスクランブルされたＣＲＣパリティビットが付加された下りリンク制御情報フォーマット１Ａを検出したならば、前記サブフレーム（ｎ２−ｋ２）において前記第１の情報によって与えられるＵＬ−ＤＬ設定に基づいてスペシャルサブフレームを想定して、対応する物理下りリンク共用チャネルを検出する機能と、前記サブフレーム（ｎ１−ｋ１）において検出した物理下りリンク共用チャネルに対するＨＡＲＱ−ＡＣＫを、サブフレーム（ｎ１）において送信し、前記サブフレーム（ｎ２−ｋ２）において検出した物理下りリンク共用チャネルに対するＨＡＲＱ−ＡＣＫを、サブフレーム（ｎ２）において送信する機能と、を前記端末装置に発揮させる。前記ｋ１、および、前記ｋ２は、前記第２の情報によって与えられるＵＬ−ＤＬ設定に基づく。【００１４】
（４）また、本発明の他の一実施形態における集積回路は、端末装置と通信する基地局装置に搭載される集積回路であって、第１の情報、第２の情報を送信し、第３の情報を物理下りリンク制御チャネルで送信し、前記物理下りリンク制御チャネルでの送信を行なっていない場合に、前記第１の情報によって与えられるＵＬ−ＤＬ設定に基づいてスペシャルサブフレームと指示し、前記第３の情報によって与えられるＵＬ−ＤＬ設定に基づいて下りリンクサブフレームと指示したサブフレーム（ｎ１−ｋ１）においてＣ−ＲＮＴＩによってスクランブルされたＣＲＣパリティビットが付加された下りリンク制御情報フォーマット１Ａを送信したならば、前記サブフレーム（ｎ１−ｋ１）において前記第３の情報によって与えられるＵＬ−ＤＬ設定に基づいて下りリンクサブフレームを想定して、対応する物理下りリンク共用チャネルでの送信を行ない、前記物理下りリンク制御チャネルでの送信を行なった場合に、前記第１の情報によって与えられるＵＬ−ＤＬ設定に基づいてスペシャルサブフレームと指示したサブフレーム（ｎ２−ｋ２）においてＣ−ＲＮＴＩによってスクランブルされたＣＲＣパリティビットが付加された下りリンク制御情報フォーマット１Ａを送信したならば、前記サブフレーム（ｎ２−ｋ２）において前記第１の情報によって与えられるＵＬ−ＤＬ設定に基づいてスペシャルサブフレームを想定して、対応する物理下りリンク共用チャネルでの送信を行なう機能と、前記サブフレーム（ｎ１−ｋ１）において検出した物理下りリンク共用チャネルに対するＨＡＲＱ−ＡＣＫを、サブフレーム（ｎ１）において受信し、前記サブフレーム（ｎ２−ｋ２）において検出した物理下りリンク共用チャネルに対するＨＡＲＱ−ＡＣＫを、サブフレーム（ｎ２）において受信する機能と、を前記基地局装置に発揮させる。前記ｋ１、および、前記ｋ２は、前記第２の情報によって与えられるＵＬ−ＤＬ設定に基づく。【００１５】
（５）また、本発明の他の一実施形態における通信方法は、基地局装置と通信する端末装置の通信方法であって、第１の情報、第２の情報を受信し、第３の情報を物理下りリンク制御チャネルで受信し、前記物理下りリンク制御チャネルを検出した場合に、前記第１の情報によって与えられるＵＬ−ＤＬ設定に基づいてスペシャルサブフレームと指示され、前記第３の情報によって与えられるＵＬ−ＤＬ設定に基づいて下りリンクサブフレームと指示されたサブフレーム（ｎ１−ｋ１）においてＣ−ＲＮＴＩによってスクランブルされたＣＲＣパリティビットが付加された下りリンク制御情報フォーマット１Ａを検出したならば、前記サブフレーム（ｎ１−ｋ１）において前記第３の情報によって与えられるＵＬ−ＤＬ設定に基づいて下りリンクサブフレームを想定して、対応する物理下りリンク共用チャネルを検出し、前記物理下りリンク制御チャネルを検出していない場合に、前記第１の情報によって与えられるＵＬ−ＤＬ設定に基づいてスペシャルサブフレームと指示されたサブフレーム（ｎ２−ｋ２）においてＣ−ＲＮＴＩによってスクランブルされたＣＲＣパリティビットが付加された下りリンク制御情報フォーマット１Ａを検出したならば、前記サブフレーム（ｎ２−ｋ２）において前記第１の情報によって与えられるＵＬ−ＤＬ設定に基づいてスペシャルサブフレームを想定して、対応する物理下りリンク共用チャネルを検出し、前記サブフレーム（ｎ１−ｋ１）において検出した物理下りリンク共用チャネルに対するＨＡＲＱ−ＡＣＫを、サブフレーム（ｎ１）において送信し、前記サブフレーム（ｎ２−ｋ２）において検出した物理下りリンク共用チャネルに対するＨＡＲＱ−ＡＣＫを、サブフレーム（ｎ２）において送信する。前記ｋ１、および、前記ｋ２は、前記第２の情報によって与えられるＵＬ−ＤＬ設定に基づく。【００１６】
（６）また、本発明の他の一実施形態における通信方法は、端末装置と通信する基地局装置の通信方法であって、第１の情報、第２の情報を送信し、第３の情報を物理下りリンク制御チャネルで送信し、前記物理下りリンク制御チャネルでの送信を行なっていない場合に、前記第１の情報によって与えられるＵＬ−ＤＬ設定に基づいてスペシャルサブフレームと指示し、前記第３の情報によって与えられるＵＬ−ＤＬ設定に基づいて下りリンクサブフレームと指示したサブフレーム（ｎ１−ｋ１）においてＣ−ＲＮＴＩによってスクランブルされたＣＲＣパリティビットが付加された下りリンク制御情報フォーマット１Ａを送信したならば、前記サブフレーム（ｎ１−ｋ１）において前記第３の情報によって与えられるＵＬ−ＤＬ設定に基づいて下りリンクサブフレームを想定して、対応する物理下りリンク共用チャネルでの送信を行ない、前記物理下りリンク制御チャネルでの送信を行なった場合に、前記第１の情報によって与えられるＵＬ−ＤＬ設定に基づいてスペシャルサブフレームと指示したサブフレーム（ｎ２−ｋ２）においてＣ−ＲＮＴＩによってスクランブルされたＣＲＣパリティビットが付加された下りリンク制御情報フォーマット１Ａを送信したならば、前記サブフレーム（ｎ２−ｋ２）において前記第１の情報によって与えられるＵＬ−ＤＬ設定に基づいてスペシャルサブフレームを想定して、対応する物理下りリンク共用チャネルでの送信を行ない、前記サブフレーム（ｎ１−ｋ１）において検出した物理下りリンク共用チャネルに対するＨＡＲＱ−ＡＣＫを、サブフレーム（ｎ１）において受信し、前記サブフレーム（ｎ２−ｋ２）において検出した物理下りリンク共用チャネルに対するＨＡＲＱ−ＡＣＫを、サブフレーム（ｎ２）において受信する。前記ｋ１、および、前記ｋ２は、前記第２の情報によって与えられるＵＬ−ＤＬ設定に基づく。
【発明の効果】
【００１７】
この発明の実施形態によれば、下りリンクデータの送受信を効率的に行なうことができる。
【図面の簡単な説明】
【００１８】
【図１】本実施形態における無線通信システムの概念図である。
【図２】無線フレームの構成を示す図である。
【図３】スロットの構成を示す図である。
【図４】下りリンクサブフレームにおける信号の配置の例を示す図である。
【図５】上りリンクサブフレームにおける信号の配置の例を示す図である。
【図６】スペシャルサブフレームにおける信号の配置の例を示す図である。
【図７】上りリンク−下りリンク（ＵＬ−ＤＬ）設定の例を示す表である。
【図８】第１のＵＬ参照ＵＬ−ＤＬ設定および第１のＤＬ参照ＵＬ−ＤＬ設定のセッティング方法を示すフロー図である。
【図９】第２のＵＬ参照ＵＬ−ＤＬ設定のセッティング方法を示すフロー図である。
【図１０】他のサービングセル（プライマリーセル）に対する第１のＵＬ参照ＵＬ−ＤＬ設定、および、サービングセル（セカンダリーセル）に対する第１のＵＬ参照ＵＬ−ＤＬ設定によって形成されるペア、および、セカンダリーセルに対する第２のＵＬ参照ＵＬ−ＤＬ設定の対応を示す図である。
【図１１】第２のＤＬ参照ＵＬ−ＤＬ設定のセッティング方法を示すフロー図である。
【図１２】プライマリーセルに対する第１のＤＬ参照ＵＬ−ＤＬ設定、および、セカンダリーセルに対する第１のＤＬ参照ＵＬ−ＤＬ設定によって形成されるペア、および、セカンダリーセルに対する第２のＤＬ参照ＵＬ−ＤＬ設定の対応を示す図である。
【図１３】ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。
【図１４】ＰＵＳＣＨが配置されるサブフレームｎと前記ＰＵＳＣＨが対応するＰＨＩＣＨが配置されるサブフレームｎ＋ｋとの対応を示す図である。
【図１５】ＰＤＳＣＨが配置されるサブフレームｎ−ｋと前記ＰＤＳＣＨが対応するＨＡＲＱ−ＡＣＫが送信されるサブフレームｎとの対応を示す図である。
【図１６】下りリンクデータの送受信方法を説明するための図である。
【図１７】下りリンクデータの送受信方法を説明するための別の図である。
【図１８】端末装置１の構成を示す概略ブロック図である。
【図１９】基地局装置３の構成を示す概略ブロック図である。
【発明を実施するための形態】
【００１９】
以下、本発明の実施形態について説明する。
【００２０】
本実施形態では、端末装置は、複数のセルが設定されてもよい。端末装置が複数のセルを介して通信する技術を、セルアグリゲーション、またはキャリアアグリゲーションと称する。ここで、端末装置に対して設定される複数のセルのそれぞれにおいて、本実施形態が適用されてもよい。また、端末装置に対して設定される複数のセルの一部において、本発明が適用されてもよい。ここで、端末装置に対して設定されるセルを、サービングセルとも称する。
【００２１】
また、設定される複数のセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。ここで、ＲＲＣコネクションが確立された時点、または、後に、セカンダリーセルが設定されてもよい。
【００２２】
また、本実施形態における無線通信システムでは、少なくともＴＤＤ（Time Division Duplex）方式が適用される。例えば、セルアグリゲーションの場合には、複数のセルの全てに対してＴＤＤ方式が適用されてもよい。また、セルアグリゲーションの場合には、ＴＤＤ方式が適用されるセルとＦＤＤ（Frequency Division Duplex）方式が適用されるセルが集約されてもよい。すなわち、セルアグリゲーションの場合には、一部のセルに対して本実施形態が適用されてもよい。
【００２３】
図１は、本実施形態における無線通信システムの概念図である。図１に示すように、本実施形態における無線通信システムは、端末装置１Ａ〜１Ｃ、および基地局装置３を具備する。以下、端末装置１Ａ〜１Ｃを、端末装置１とも記載する。
【００２４】
本実施形態における物理チャネルおよび物理信号について説明する。
【００２５】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２６】
ＰＵＣＣＨは、上りリンク制御情報（Uplink Control Information: UCI）を送信するために用いられる。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Downlink-Shared Channel: DL-SCH）に対するＡＣＫ（acknowledgement）／ＮＡＣＫ（negative-acknowledgement）を含む。ここで、ＡＣＫ／ＮＡＣＫを、ＨＡＲＱ−ＡＣＫ、ＨＡＲＱフィードバック、または、応答情報とも称する。
【００２７】
ＰＵＳＣＨは、上りリンクデータ（Transport block, Uplink-Shared Channel: UL-SCH）を送信するために用いられる。すなわち、ＵＬ−ＳＣＨでの上りリンクデータの送信は、ＰＵＳＣＨを経由して行なわれる。すなわち、トランスポートチャネルであるＵＬ−ＳＣＨは、物理チャネルであるＰＵＳＣＨにマップされる。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。
【００２８】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００２９】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられる。
【００３０】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３１】
本実施形態において、以下の２つのタイプの上りリンク参照信号が用いられる。
・ＤＭＲＳ（Demodulation Reference Signal）
・ＳＲＳ（Sounding Reference Signal）
【００３２】
ＤＭＲＳは、ＰＵＳＣＨまたはＰＵＣＣＨの送信に関連する。ＤＭＲＳは、ＰＵＳＣＨまたはＰＵＣＣＨと時間多重される。例えば、基地局装置３は、ＰＵＳＣＨまたはＰＵＣＣＨの伝搬路補正を行なうためにＤＭＲＳを使用する。
【００３３】
ＳＲＳは、ＰＵＳＣＨまたはＰＵＣＣＨの送信に関連しない。基地局装置３は、上りリンクのチャネル状態を測定するためにＳＲＳを使用する。端末装置１は、上位層によって設定された第１のリソースにおいて第１のＳＲＳを送信する。さらに、端末装置１は、ＰＤＣＣＨを介してＳＲＳの送信を要求することを示す情報を受信した場合に、上位層によって設定された第２のリソースにおいて第２のＳＲＳを１回のみ送信する。ここで、第１のＳＲＳを、ピリオディックＳＲＳまたはタイプ０トリガードＳＲＳとも称する。また、第２のＳＲＳを、アピリオディックＳＲＳまたはタイプ１トリガードＳＲＳとも称する。
【００３４】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３５】
ＰＢＣＨは、端末装置１で共通に用いられるマスターインフォメーションブロック（Master Information Block: MIB, Broadcast Channel: BCH）を報知するために用いられる。例えば、ＭＩＢは、４０ｍｓ間隔で送信される。また、ＭＩＢは、１０ｍｓ周期で繰り返し送信される。また、ＭＩＢには、ＳＦＮ（System Frame Number）を示す情報が含まれる。ここで、ＳＦＮは、無線フレームの番号を示す。また、ＭＩＢはシステム情報である。
【００３６】
ＰＣＦＩＣＨは、ＰＤＣＣＨの送信に用いられる領域（ＯＦＤＭシンボル）を指示する情報を送信するために用いられる。
【００３７】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３８】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３９】
例えば、下りリンクに対するＤＣＩフォーマットとして、１つのセルにおける１つのＰＤＳＣＨ（１つの下りリンクトランスポートブロックの送信）のスケジューリングのために使用されるＤＣＩフォーマット１ＡおよびＤＣＩフォーマット１Ｃが定義される。
【００４０】
例えば、下りリンクに対するＤＣＩフォーマットには、ＰＤＳＣＨのスケジューリングに関する情報が含まれる。例えば、下りリンクに対するＤＣＩフォーマットには、リソースブロック割り当てに関する情報、ＭＣＳ（Modulation and Coding Scheme）に関する情報、ＰＵＣＣＨに対するＴＰＣコマンドに関する情報などの下りリンク制御情報が含まれる。ここで、下りリンクに対するＤＣＩフォーマットを、下りリンクグラント（または、下りリンクアサインメント）とも称する。
【００４１】
また、例えば、上りリンクに対するＤＣＩフォーマットとして、１つのセルにおける１つのＰＵＳＣＨ（１つの上りリンクトランスポートブロックの送信）のスケジューリングのために使用されるＤＣＩフォーマット０が定義される。
【００４２】
例えば、上りリンクに対するＤＣＩフォーマットには、ＰＵＳＣＨのスケジューリングに関する情報が含まれる。例えば、上りリンクに対するＤＣＩフォーマットには、リソースブロック割り当ておよび／またはホッピング（Resource block assignment and/or hopping resource allocation）に関する情報、ＭＣＳおよび／またはリダンダシーバジョン（Modulation and coding scheme and/or redundancy version）に関する情報、ＴＰＣコマンド（TPC command）に関する情報、サイクリックシフト（Cyclic shift）に関する情報、新データインディケータ（New data indicator）に関する情報などの下りリンク制御情報が含まれる。ここで、上りリンクに対するＤＣＩフォーマットを、上りリンクグラント（または、上りリンクアサインメント）とも称する。
【００４３】
端末装置１は、下りリンクアサインメントを用いてＰＤＳＣＨのリソースがスケジュールされた場合、スケジュールされたＰＤＳＣＨで下りリンクデータを受信する。また、端末装置１は、上りリンクグラントを用いてＰＵＳＣＨのリソースがスケジュールされた場合、スケジュールされたＰＵＳＣＨで上りリンクデータおよび／または上りリンク制御情報を送信する。
【００４４】
また、端末装置１は、ＰＤＣＣＨ候補（PDCCH candidates）および／またはＥＰＤＣＣＨ候補（EPDCCH candidates）のセットをモニタする。以下の説明において、ＰＤＣＣＨは、ＰＤＣＣＨおよび／またはＥＰＤＤＣＨを示していてもよい。ＰＤＣＣＨ候補とは、基地局装置３によって、ＰＤＣＣＨがマップおよび送信される可能性のある候補を示している。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００４５】
ここで、端末装置１が、モニタするＰＤＣＣＨ候補のセットは、サーチスペースとも称される。サーチスペースには、コモンサーチスペース（CSS: Common Search Space）およびユーザ装置スペシフィックサーチスペース（USS: UE-specific Search Space）が含まれる。ＣＳＳは、複数の端末装置１が共通してＰＤＣＣＨ／ＥＰＤＣＣＨをモニタする領域である。また、ＵＳＳは、少なくともＣ−ＲＮＴＩに基づいて定義される領域である。端末装置１は、ＣＳＳおよび／またはＵＳＳにおいて、ＰＤＣＣＨをモニタし、自装置宛てのＰＤＣＣＨを検出する。
【００４６】
また、下りリンク制御情報の送信（ＰＤＣＣＨでの送信）には、基地局装置３が端末装置１に割り当てたＲＮＴＩが利用される。具体的には、ＤＣＩフォーマット（下りリンク制御情報でもよい）にＣＲＣ（Cyclic Redundancy check: 巡回冗長検査）パリティビットが付加され、付加された後に、ＣＲＣパリティビットがＲＮＴＩによってスクランブルされる。ここで、ＤＣＩフォーマットに付加されるＣＲＣパリティビットは、ＤＣＩフォーマットのペイロードから得られてもよい。
【００４７】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも呼称される）。すなわち、端末装置１は、ＲＮＴＩによってスクランブルされたＣＲＣを伴うＰＤＣＣＨを検出する。また、端末装置１は、ＲＮＴＩによってスクランブルされたＣＲＣパリティビットが付加されたＤＣＩフォーマットを伴うＰＤＣＣＨを検出する。
【００４８】
ここで、ＲＮＴＩには、Ｃ−ＲＮＴＩ(Cell-Radio Network Temporary Identifier)が含まれる。Ｃ−ＲＮＴＩは、ＲＲＣ接続およびスケジューリングの識別に対して使用される、端末装置１に対するユニークな（一意的な）識別子である。Ｃ−ＲＮＴＩは、動的（dynamically）にスケジュールされるユニキャスト送信のために利用される。
【００４９】
また、ＲＮＴＩには、ＳＰＳ  Ｃ−ＲＮＴＩ(Semi-Persistent Scheduling C-RNTI)が含まれる。ＳＰＳ  Ｃ−ＲＮＴＩは、セミパーシステントスケジューリングに対して使用される、端末装置１に対するユニークな（一意的な）識別子である。ＳＰＳ  Ｃ−ＲＮＴＩは、半持続的（semi-persistently）にスケジュールされるユニキャスト送信のために利用される。
【００５０】
また、ＲＮＴＩには、ＲＡ−ＲＮＴＩ(Random Access RNTI)が含まれる。ＲＡ−ＲＮＴＩは、ランダムアクセスレスポンスメッセージの送信に対して使用される識別子である。すなわち、ＲＡ−ＲＮＴＩは、ランダムアクセスプロシージャにおいて、ランダムアクセスレスポンスメッセージの送信のために利用される。例えば、端末装置１は、ランダムアクセスプリアンブルを送信した場合に、ＲＡ−ＲＮＴＩによってスクランブルされたＣＲＣを伴うＰＤＣＣＨをモニタする。また、端末装置１は、ＲＡ−ＲＮＴＩによってスクランブルされたＣＲＣを伴うＰＤＣＣＨの検出に基づいてＰＤＳＣＨでランダムアクセスレスポンスを受信する。
【００５１】
また、ＲＮＴＩには、Ｐ−ＲＮＴＩ(Paging RNTI)が含まれる。Ｐ−ＲＮＴＩは、ページングおよびシステム情報の変化の通知に使用される識別子である。例えば、Ｐ−ＲＮＴＩは、ページングおよびシステム情報メッセージの送信のために利用される。端末装置１は、Ｐ−ＲＮＴＩによってスクランブルされたＣＲＣを伴うＰＤＣＣＨの検出に基づいてＰＤＳＣＨでページングを受信する。
【００５２】
また、ＲＮＴＩには、ＳＩ−ＲＮＴＩ(System Information RNTI)が含まれる。ＳＩ−ＲＮＴＩは、システム情報のブロードキャストに使用される識別子である。例えば、ＳＩ−ＲＮＴＩは、システム情報メッセージの送信のために利用される。端末装置１は、ＳＩ−ＲＮＴＩによってスクランブルされたＣＲＣを伴うＰＤＣＣＨの検出に基づいてＰＤＳＣＨでシステム情報メッセージを受信する。
【００５３】
例えば、Ｃ−ＲＮＴＩによってスクランブルされたＣＲＣを伴うＰＤＣＣＨは、ＵＳＳまたはＣＳＳで送信されても良い。また、ＲＡ−ＲＮＴＩによってスクランブルされたＣＲＣを伴うＰＤＣＣＨは、ＣＳＳのみで送信されても良い。また、Ｐ−ＲＮＴＩによってスクランブルされたＣＲＣを伴うＰＤＣＣＨは、ＣＳＳのみで送信されても良い。また、ＳＩ−ＲＮＴＩによってスクランブルされたＣＲＣを伴うＰＤＣＣＨは、ＣＳＳのみで送信されても良い。
【００５４】
例えば、Ｃ−ＲＮＴＩ、ＳＰＳ  Ｃ−ＲＮＴＩによってスクランブルされたＣＲＣパリティビットが付加されたＤＣＩフォーマットには、ＤＣＩフォーマット１Ａが含まれる。また、ＲＡ−ＲＮＴＩ、ＳＩ−ＲＮＴＩ、または、Ｐ−ＲＮＴＩによってスクランブルされたＣＲＣパリティビットが付加されたＤＣＩフォーマットには、ＤＣＩフォーマット１ＡおよびＤＣＩフォーマット１Ｃが含まれる。
【００５５】
すなわち、ＤＣＩフォーマット１Ａには、Ｃ−ＲＮＴＩ、ＳＰＳ  Ｃ−ＲＮＴＩ、ＲＡ−ＲＮＴＩ、Ｐ−ＲＮＴＩ、または、ＳＩ−ＲＮＴＩによってスクランブルされたＣＲＣパリティビットが付加される。また、ＤＣＩフォーマット１Ｃには、ＲＡ−ＲＮＴＩ、Ｐ−ＲＮＴＩ、または、ＳＩ−ＲＮＴＩによってスクランブルされたＣＲＣパリティビットが付加される。
【００５６】
端末装置１は、ＤＣＩフォーマット１Ａに付加されたＣＲＣパリティビットが、いずれのＲＮＴＩでスクランブルされているかに基づいて、ＤＣＩフォーマット１Ａの解釈を変更する。以下、ＰＤＳＣＨでの下りリンクデータの送信を、ＰＤＳＣＨでの送信とも記載する。また、ＰＤＳＣＨでの下りリンクデータの受信を、ＰＤＳＣＨでの受信とも記載する。
【００５７】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００５８】
また、ＰＤＳＣＨは、システムインフォメーションメッセージを送信するために用いられる。システムインフォメーションメッセージは、システムインフォメーションブロックタイプ１以外のシステムインフォメーションブロックＸを含んでもよい。システムインフォメーションメッセージは、セルスペシフィック（セル固有）な情報である。
【００５９】
また、ＰＤＳＣＨは、ＲＲＣメッセージを送信するために用いられる。ここで、基地局装置３から送信されるＲＲＣメッセージは、セル内における複数の端末装置１に対して共通であってもよい。また、基地局装置３から送信されるＲＲＣメッセージは、ある端末装置１に対して専用のメッセージ（dedicated signalingとも称する）であってもよい。すなわち、ユーザ装置スペシフィック（ユーザ装置固有）な情報は、ある端末装置１に対して専用のメッセージを使用して送信される。また、ＰＤＳＣＨは、ＭＡＣ  ＣＥを送信するために用いられる。
【００６０】
ここで、ＲＲＣメッセージおよび／またはＭＡＣ  ＣＥを、上位層の信号（higher layer signaling）とも称する。
【００６１】
ＰＭＣＨは、マルチキャストデータ（Multicast Channel: MCH）を送信するために用いられる。
【００６２】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００６３】
同期信号は、端末装置１が下りリンクの周波数領域および時間領域の同期をとるために用いられる。例えば、ＴＤＤ方式において、同期信号は無線フレーム内のサブフレーム０、１、５、６に配置される。また、ＦＤＤ方式において、同期信号は無線フレーム内のサブフレーム０と５に配置される。
【００６４】
下りリンク参照信号は、端末装置１が下りリンク物理チャネルの伝搬路補正を行なうために用いられる。また、下りリンク参照信号は、端末装置１が下りリンクのチャネル状態情報を算出するために用いられてもよい。
【００６５】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００６６】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、端末装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００６７】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００６８】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。例えば、ＣＲＳは、アンテナポートｉ（ｉ＝０、１、２、３）の１つ、または、いくつかで（on one or several of antenna ports 0 to 3）送信される。
【００６９】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００７０】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、端末装置１が下りリンクのチャネル状態情報を算出するために用いられる。端末装置１は、ＮＺＰ  ＣＳＩ−ＲＳを用いて信号測定（チャネル測定）を行なう。
【００７１】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置１は、干渉を測定することができる。
【００７２】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００７３】
ＰＲＳは、端末装置が、自装置の地理的な位置を測定するために用いられる。
【００７４】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００７５】
また、ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００７６】
以下、無線フレーム（radio frame）の構成について説明する。
【００７７】
図２は、本実施形態における無線フレームの概略構成を示す図である。図２において、横軸は時間軸を示している。例えば、無線フレームのそれぞれは、１０ｍｓ長である。また、無線フレームのそれぞれは２つのハーフフレームから構成され、ハーフフレームのそれぞれは５ｍｓ長である。また、ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。すなわち、１０ｍｓ間隔のそれぞれにおいて、１０個のサブフレームが利用できる。ここで、サブフレームを、ＴＴＩ（Transmission Time Interval）とも称する。
【００７８】
本実施形態において、以下の３つのタイプのサブフレームが定義される。
・下りリンクサブフレーム（第１のサブフレーム）
・上りリンクサブフレーム（第２のサブフレーム）
・スペシャルサブフレーム（第３のサブフレーム）
【００７９】
下りリンクサブフレームは、下りリンク送信のためにリザーブされるサブフレームである。また、上りリンクサブフレームは上りリンク送信のためにリザーブされるサブフレームである。ここで、下りリンクサブフレームには、ＭＢＳＦＮサブフレーム、および／または、ｎｏｎ−ＭＢＳＦＮサブフレームが含まれてもよい。
【００８０】
基地局装置３は、無線フレームにおける下りリンクサブフレームのサブセットを、ＭＢＳＦＮサブフレームとして設定してもよい。ここで、ＭＢＳＦＮサブフレームは、ＭＢＳＦＮのためにリザーブされるサブフレームを示している。例えば、ＭＢＳＦＮサブフレームは、基地局装置３によって、上位層の信号を使用して送信されるパラメータに基づいて、サービングセル毎に指示されてもよい。
【００８１】
また、無線フレームにおいて、ＭＢＳＦＮサブフレームとして設定されなかったサブフレームは、ｎｏｎ−ＭＢＳＦＮサブフレームまたはユニキャストサブフレームと呼称される。
【００８２】
例えば、基地局装置３は、ｎｏｎ−ＭＢＳＦＮサブフレームにおいて、ＰＤＳＣＨでの送信を行うことができ、ＰＭＣＨでの送信を行うことができない。端末装置１は、ｎｏｎ−ＭＢＳＦＮサブフレームにおいて、ＰＤＳＣＨをデコードする。また、基地局装置３は、ＭＢＳＦＮサブフレームにおいて、ＰＤＳＣＨでの送信またはＰＭＣＨでの送信を行うことができる。端末装置１は、ＰＭＣＨをデコードすることを上位層の信号を使用して指示されたサブフレーム、および、ＭＢＳＦＮサブフレーム内にのみＰＲＳの機会が設定され、サブフレーム０におけるＣＰ（Cyclic Prefix）の長さがノーマルＣＰである場合におけるＰＲＳの機会（occasion）の一部であると上位層によって設定されたサブフレーム以外のＭＢＳＦＮサブフレームにおいて、ＰＤＳＣＨをデコードする。
【００８３】
また、スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは、下りリンク送信のためにリザーブされるフィールドである。また、ＵｐＰＴＳは、上りリンク送信のためにリザーブされるフィールドである。また、ＧＰは、下りリンク送信および上りリンク送信が行なわれないフィールドである。ここで、スペシャルサブフレームは、ＤｗＰＴＳおよびＧＰのみによって構成されてもよいし、ＧＰおよびＵｐＰＴＳのみによって構成されてもよい。
【００８４】
すなわち、サブフレーム０、サブフレーム５、および、ＤｗＰＴＳは、下りリンク送信のために常にリザーブされてもよい。また、ＵｐＰＴＳ、および、スペシャルサブフレームの後のサブフレームは、上りリンク送信のために常にリザーブされてもよい。
【００８５】
すなわち、単一の無線フレームは、少なくとも下りリンクサブフレーム、上りリンクサブフレーム、およびスペシャルサブフレームから構成される。
【００８６】
以下、スロットの構成について説明する。
【００８７】
図３は、本実施形態におけるスロットの構成を示す図である。図３において、横軸は時間軸を、縦軸は周波数軸を示している。本実施形態では、ＯＦＤＭシンボルに対してノーマルＣＰ（normal Cyclic Prefix）が適用される。ここで、ＯＦＤＭシンボルに対して拡張ＣＰ（extended Cyclic Prefix）が適用されてもよい。
【００８８】
また、スロットのそれぞれにおいて送信される物理信号または物理チャネルは、リソースグリッドによって表現される。下りリンクにおいて、リソースグリッドは、複数のサブキャリアと複数のＯＦＤＭシンボルによって定義される。上りリンクにおいて、リソースグリッドは、複数のサブキャリアと複数のＳＣ−ＦＤＭＡシンボルによって定義される。
【００８９】
また、１つのスロットを構成するサブキャリアの数は、セルの帯域幅に依存する。例えば、１つのスロットを構成するＯＦＤＭシンボルまたはＳＣ−ＦＤＭＡシンボルの数は７である。ここで、リソースグリッド内のエレメントのそれぞれをリソースエレメントと称する。また、リソースエレメントは、サブキャリアの番号とＯＦＤＭシンボルまたはＳＣ−ＦＤＭＡシンボルの番号とを用いて識別される。
【００９０】
リソースブロックは、ある物理チャネル（ＰＤＳＣＨ、ＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。
【００９１】
例えば１つの物理リソースブロックは、時間領域において７個の連続するＯＦＤＭシンボルまたはＳＣ−ＦＤＭＡシンボルと、周波数領域において１２個の連続するサブキャリアとから定義される。すなわち、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００９２】
以下、サブフレームのそれぞれにおいて送信される物理チャネルおよび物理信号について説明する。
【００９３】
図４は、本実施形態における下りリンクサブフレームにおける物理チャネルおよび物理信号の配置の一例を示す図である。図４において、横軸は時間軸を、縦軸は周波数軸を示している。図４に示すように、基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および、下りリンク物理信号（同期信号、下りリンク参照信号）を送信してもよい。ここで、説明の簡略化のため、図４において下りリンク参照信号は図示しない。
【００９４】
ここで、ＰＤＣＣＨの領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨの領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００９５】
ここで、下りリンクデータの送信に使用されるＰＤＳＣＨ（ＰＤＳＣＨのシンボルでもよい）は、下りリンクサブフレームにおいて、ＰＤＳＣＨでの送信のために割り当てられた物理リソースブロックにマップされる。また、下りリンクデータの送信に使用されるＰＤＳＣＨ（ＰＤＳＣＨのシンボルでもよい）は、下りリンクサブフレームにおいて、ＰＤＳＣＨのマップが開始されるＯＦＤＭシンボルから最後のＯＦＤＭシンボルまでにマップされる。
【００９６】
例えば、図４に示すように、ＰＤＳＣＨは、下りリンクサブフレーム内の４番目から１４番目のＳＣ−ＦＤＭＡシンボル（第１のスロットのシンボル３から６、および、第２のスロットのシンボル０から６）に対応するリソースエレメントにマップされる。ここで、上述したように、ＰＤＳＣＨがマップされるＯＦＤＭシンボルの開始位置は、基地局装置３によって指示されてもよい。
【００９７】
図５は、本実施形態における上りリンクサブフレームにおける物理チャネルおよび物理信号の配置の一例を示す図である。図５において、横軸は時間軸を、縦軸は周波数軸を示している。端末装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。
【００９８】
ここで、ＰＵＣＣＨの領域において、複数のＰＵＣＣＨが周波数、時間、および符合多重されてもよい。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００９９】
また、ＳＲＳは、上りリンクサブフレーム内の最後のＳＣ−ＦＤＭＡシンボルを用いて送信されてもよい。端末装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。端末装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。
【０１００】
すなわち、単一のセルの単一の上りリンクサブフレームにおいて、端末装置１は、ＳＲＳとＰＵＳＣＨ／ＰＵＣＣＨの両方を送信することができる。ここで、ＤＭＲＳはＰＵＣＣＨまたはＰＵＳＣＨと時間多重されてもよい。ここで、説明の簡略化のため、図５においてＤＭＲＳは図示しない。
【０１０１】
図６は、本実施形態におけるスペシャルサブフレームにおける物理チャネルおよび物理信号の配置の一例を示す図である。図６において、横軸は時間軸を、縦軸は周波数軸を示している。
【０１０２】
例えば、図６に示すように、ＤｗＰＴＳはスペシャルサブフレーム内の１番目から１０番目のＯＦＤＭＡシンボル（第１のスロットのＯＦＤＭＡシンボル０から６、および、第２のスロットのＯＦＤＭＡシンボル０から２）から構成される。また、ＧＰはスペシャルサブフレーム内の１１番目と１２番目のシンボル（第２のスロットのシンボル３とシンボル４）に対応する期間から構成される。また、ＵｐＰＴＳはスペシャルサブフレーム内の１３番目と１４番目のＳＣ−ＦＤＭＡシンボル（第２のスロットのＳＣ−ＦＤＭＡシンボル５とＳＣ−ＦＤＭＡシンボル６）から構成される。
【０１０３】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。また、基地局装置３は、スペシャルサブフレームのＤｗＰＴＳにおいて、ＰＢＣＨを送信しなくてもよい。また、端末装置１は、スペシャルサブフレームのＵｐＰＴＳにおいて、ＰＲＡＣＨ、およびＳＲＳを送信してもよい。すなわち、端末装置１は、スペシャルサブフレームのＵｐＰＴＳにおいて、ＰＵＣＣＨ、ＰＵＳＣＨ、およびＤＭＲＳを送信しなくてもよい。ここで、説明の簡略化のため、図６において下りリンク参照信号は図示しない。
【０１０４】
ここで、下りリンクデータの送信に使用されるＰＤＳＣＨ（ＰＤＳＣＨのシンボルでもよい）は、スペシャルサブフレームにおいて、ＰＤＳＣＨでの送信のために割り当てられた物理リソースブロックにマップされる。また、下りリンクデータの送信に使用されるＰＤＳＣＨのシンボルは、スペシャルサブフレームにおいて、ＤｗＰＴＳフィールド（ＤｗＰＴＳフィールドに対応するリソースエレメントでもよい）のみにマップされる。また、下りリンクデータの送信に使用されるＰＤＳＣＨ（ＰＤＳＣＨのシンボルでもよい）は、スペシャルサブフレームにおいて、ＰＤＳＣＨのマップが開始されるＯＦＤＭシンボルからＤｗＰＴＳにおける最後のＯＦＤＭシンボルまでにマップされる。
【０１０５】
すなわち、下りリンクデータの送信に使用されるＰＤＳＣＨは、スペシャルサブフレームにおいて、ＧＰフィールド（ＧＰフィールドに対応するリソースエレメントでもよい）およびＵｐＰＴＳフィールド（ＵｐＰＴＳフィールドに対応するリソースエレメントでもよい）にマップされない。
【０１０６】
例えば、図６に示すように、ＰＤＳＣＨは、下りリンクサブフレーム内の４番目から１０番目のＳＣ−ＦＤＭＡシンボル（第１のスロットのシンボル３から６、および、第２のスロットのシンボル０から２）に対応するリソースエレメントにマップされる。ここで、上述したように、ＰＤＳＣＨがマップされるシンボルの開始位置は、基地局装置３によって指示されてもよい。
【０１０７】
以下、第１のＵＬ参照ＵＬ−ＤＬ設定（uplink reference uplink-downlink configuration）、第１のＤＬ参照ＵＬ−ＤＬ設定（downlink reference uplink-downlink configuration）、第２のＵＬ参照ＵＬ−ＤＬ設定、第２のＤＬ参照ＵＬ−ＤＬ設定、および、第３のＵＬ−ＤＬ設定（uplink-downlink configuration）について説明する。
【０１０８】
ここで、第３のＵＬ−ＤＬ設定を、明示的なレイヤ１の信号（Explicit L1 signaling）とも称する。また、第３のＵＬ−ＤＬ設定を、明示的なレイヤ１の設定（Explicit L1 configuration）とも称する。
【０１０９】
例えば、第１のＵＬ参照ＵＬ−ＤＬ設定、第１のＤＬ参照ＵＬ−ＤＬ設定、第２のＵＬ参照ＵＬ−ＤＬ設定、第２のＤＬ参照ＵＬ−ＤＬ設定、および、第３のＵＬ−ＤＬ設定は、ＵＬ−ＤＬ設定（uplink - downlink configuration, UL - DL configuration）によって定義される。
【０１１０】
ここで、ＵＬ−ＤＬ設定とは、無線フレーム内におけるサブフレームのパターンに関する設定である。すなわち、ＵＬ−ＤＬ設定は、無線フレーム内におけるサブフレームのそれぞれが、下りリンクサブフレーム、上りリンクサブフレーム、および、スペシャルサブフレームのいずれであるかを示す。
【０１１１】
すなわち、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、第３のＵＬ−ＤＬ設定は、無線フレーム内における下りリンクサブフレーム、上りリンクサブフレーム、および、スペシャルサブフレームのパターンによって定義される。
【０１１２】
例えば、下りリンクサブフレーム、上りリンクサブフレーム、および、スペシャルサブフレームのパターンとは、サブフレーム＃０から＃９のそれぞれが、下りリンクサブフレーム、上りリンクサブフレーム、および、スペシャルサブフレームのいずれであるかを示すものであり、好ましくは、ＤとＵとＳ（それぞれ下りリンクサブフレーム、上りリンクサブフレーム、および、スペシャルサブフレームを示す）の長さ１０となる任意の組み合わせで表現される。より好ましくは、先頭（つまりサブフレーム＃０）がＤで、２番目（つまりサブフレーム＃１）がＳである。
【０１１３】
図７は、本実施形態におけるＵＬ−ＤＬ設定の一例を示す表である。図７において、Ｄは下りリンクサブフレームを示し、Ｕは上りリンクサブフレームを示し、Ｓはスペシャルサブフレームを示す。
【０１１４】
ここで、第１または第２のＵＬ参照ＵＬ−ＤＬ設定としてＵＬ−ＤＬ設定ｉがセットされることを、第１または第２のＵＬ参照ＵＬ−ＤＬ設定ｉがセットされると称する。また、第１または第２のＤＬ参照ＵＬ−ＤＬ設定としてＵＬ−ＤＬ設定ｉがセットされることを、第１または第２のＤＬ参照ＵＬ−ＤＬ設定ｉがセットされると称する。また、第３のＵＬ−ＤＬ設定としてＵＬ−ＤＬ設定ｉがセットされることを、第３のＵＬ−ＤＬ設定ｉがセットされると称する。
【０１１５】
また、ＵＬ参照ＵＬ−ＤＬ設定としてＵＬ−ＤＬ設定ｉがセットされることを、ＵＬ参照ＵＬ−ＤＬ設定ｉがセットされると称する。また、ＤＬ参照ＵＬ−ＤＬ設定としてＵＬ−ＤＬ設定ｉがセットされることを、ＤＬ参照ＵＬ−ＤＬ設定ｉがセットされると称する。
【０１１６】
以下、第１のＵＬ参照ＵＬ−ＤＬ設定、第１のＤＬ参照ＵＬ−ＤＬ設定、および、第３のＵＬ−ＤＬ設定にセッティング方法ついて説明する。
【０１１７】
基地局装置３は、第１のＵＬ参照ＵＬ−ＤＬ設定、第１のＤＬ参照ＵＬ−ＤＬ設定、および、第３のＵＬ−ＤＬ設定をセットする。
【０１１８】
また、基地局装置３は、第１のＵＬ参照ＵＬ−ＤＬ設定を示す第１の情報（TDD-Config）を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて、端末装置１に送信してもよい。
【０１１９】
また、基地局装置３は、第１のＤＬ参照ＵＬ−ＤＬ設定を示す第２の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて、端末装置１に送信してもよい。
【０１２０】
また、基地局装置３は、第３のＵＬ−ＤＬ設定を示す第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて、端末装置１に送信してもよい。
【０１２１】
ここで、複数のセルのそれぞれに対して、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、第３のＵＬ−ＤＬ設定が定義されてもよい。
【０１２２】
すなわち、基地局装置３は、セルのそれぞれに対する、第１の情報、第２の情報、および、第３の情報を、複数のセルが設定された端末装置１に送信してもよい。すなわち、セルのそれぞれに対して、第１の情報、第２の情報、および、第３の情報が設定されてもよい。
【０１２３】
すなわち、複数のセルが設定された端末装置１は、セルのそれぞれに対して、第１の情報、第２の情報、および、第３の情報に基づいて、第１のＵＬ参照ＵＬ−ＤＬ設定、第１のＤＬ参照ＵＬ−ＤＬ設定、および、第３のＵＬ−ＤＬ設定をセットしてもよい。
【０１２４】
例えば、プライマリーセルに対する第１の情報は、システムインフォメーションブロックタイプ１メッセージ、または、ＲＲＣメッセージに含まれることが好ましい。また、セカンダリーセルに対する第１の情報は、ＲＲＣメッセージに含まれることが好ましい。
【０１２５】
また、プライマリーセルに対する第２の情報は、システムインフォメーションブロックタイプ１メッセージ、システムインフォメーションメッセージ、または、ＲＲＣメッセージに含まれることが好ましい。また、セカンダリーセルに対する第２の情報は、ＲＲＣメッセージに含まれることが好ましい。また、第３の情報は、物理層の制御情報（例えば、ＤＣＩフォーマット）に含まれることが好ましい。
【０１２６】
図８は、本実施形態における第１のＵＬ参照ＵＬ−ＤＬ設定および第１のＤＬ参照ＵＬ−ＤＬ設定のセッティング方法を示すフロー図である。端末装置１は、複数のセルのそれぞれに対して、図８におけるセッティング方法を実行してもよい。
【０１２７】
端末装置１は、あるセルに対して、第１の情報に基づいて第１のＵＬ参照ＵＬ−ＤＬ設定をセットする（Ｓ８００）。また、端末装置１は、該あるセルに対する第２の情報を受信しているかどうかを判断する（Ｓ８０２）。ここで、端末装置１は、該あるセルに対する第２の情報を受信している場合は、該あるセルに対して、該あるセルに対する第２の情報に基づいて第１のＤＬ参照ＵＬ−ＤＬ設定をセットする（Ｓ８０６）。また、端末装置１は、該あるセルに対する第２の情報を受信していない場合は（else/otherwise）、該あるセルに対して、該あるセルに対する第１の情報に基づいて第１のＤＬ参照ＵＬ−ＤＬ設定をセットする（Ｓ８０４）。
【０１２８】
ここで、第１の情報に基づいて第１のＵＬ参照ＵＬ−ＤＬ設定および第１のＤＬ参照ＵＬ−ＤＬ設定がセットされているセルを、ダイナミックＴＤＤが設定されていないセルとも称する。また、第２の情報に基づいて第１のＤＬ参照ＵＬ−ＤＬ設定がセットされているセルを、ダイナミックＴＤＤが設定されているセルとも称する。
【０１２９】
また、あるセルに対する第２の情報を受信していない場合は、第１のＵＬ参照ＵＬ−ＤＬ設定および第１のＤＬ参照ＵＬ−ＤＬ設定は定義されなくてもよい。すなわち、端末装置１は、あるセルに対する第２の情報を受信していない場合は、該あるセルに対して、該あるセルに対する第１の情報に基づいて１つのＵＬ−ＤＬ設定をセットしてもよい。
【０１３０】
また、端末装置１は、第２の情報を受信し、第２の情報に基づいて上りリンクの送信が可能なサブフレームを判断する。次に、端末装置１は、第３の情報をモニタする。端末装置１は、第３の情報を受信した場合に、第３の情報に基づいて上りリンクの送信が可能なサブフレームを判断する。
【０１３１】
例えば、基地局装置３は、ＰＤＣＣＨ／ＥＰＤＣＣＨを用いて、第３の情報を端末装置１に送信してもよい。すなわち、第３の情報は、基地局装置３（セル）がカバレッジ内のダイナミックＴＤＤの動作を制御するために用いられてもよい。ここで、第３の情報は、ＣＳＳおよび／またはＵＳＳにおいて送受信されてもよい。
【０１３２】
端末装置１は、受信した信号に対して復号を試み、第３の情報が送信されるＰＤＣＣＨ／ＥＰＤＣＣＨ（ＤＣＩフォーマットでもよい）が検出されたか否かを判断する。端末装置１は、第３の情報が送信されるＰＤＣＣＨ／ＥＰＤＣＣＨを検出した場合、検出した第３の情報に基づいて、上りリンクの送信が可能なサブフレームを判断する。また、端末装置１は、第３の情報が送信されるＰＤＣＣＨ／ＥＰＤＣＣＨを検出しなかった場合、上りリンクの送信が可能なサブフレームに関してこれまでの判断を維持してもよい。
【０１３３】
以下、第２のＵＬ参照ＵＬ−ＤＬ設定のセッティング方法について説明する。
【０１３４】
基地局装置３および端末装置１は、端末装置１に対して複数のセルが設定されており、少なくとも２つのセルに対する第１のＵＬ参照ＵＬ−ＤＬ設定が異なる場合に、第２のＵＬ参照ＵＬ−ＤＬ設定をセットしてもよい。
【０１３５】
また、基地局装置３および端末装置１は、端末装置１に対して複数のセルが設定されており、少なくとも２つのセルに対する第１のＵＬ参照ＵＬ−ＤＬ設定が異なる場合以外は、第２のＵＬ参照ＵＬ−ＤＬ設定をセットしなくてもよい。ここで、少なくとも２つのサービングセルに対する第１のＵＬ参照ＵＬ−ＤＬ設定が異なる場合以外とは、全ての（例えば、２つの）サービングセルに対する第１のＵＬ参照ＵＬ−ＤＬ設定が同一の場合であることを含んでもよい。
【０１３６】
また、基地局装置３および端末装置１は、端末装置１に対して１つのセル（のみ）が設定されている場合は、第２のＵＬ参照ＵＬ−ＤＬ設定をセットしなくてもよい。
【０１３７】
図９は、本実施形態における第２のＵＬ参照ＵＬ−ＤＬ設定のセッティング方法を示すフロー図である。図９では、端末装置１に対して、１つのプライマリーセルと１つのセカンダリーセルが設定されていることを示している。ここで、端末装置１は、プライマリーセルおよびセカンダリーセルのそれぞれに対して、図９におけるセッティング方法を実行してもよい。
【０１３８】
端末装置１は、プライマリーセルに対する第１のＵＬ参照ＵＬ−ＤＬ設定およびセカンダリーセルに対する第１のＵＬ参照ＵＬ−ＤＬ設定が異なるかどうかを判断する（Ｓ９００）。ここで、端末装置１は、プライマリーセルに対する第１のＵＬ参照ＵＬ−ＤＬ設定およびセカンダリーセルに対する第１のＵＬ参照ＵＬ−ＤＬ設定が同一の場合は、第２のＵＬ参照ＵＬ−ＤＬ設定をセットせずに、第２のＵＬ参照ＵＬ−ＤＬ設定に対するセッティング処理を終了する。
【０１３９】
また、端末装置１は、プライマリーセルに対する第１のＵＬ参照ＵＬ−ＤＬ設定およびセカンダリーセルに対する第１のＵＬ参照ＵＬ−ＤＬ設定が異なる場合は、サービングセルがプライマリーセルであるか、セカンダリーセルであるか、および／または、他のサービングセルにおいて、サービングセルに対応しＣＩＦ（Carrier Indicator Field）をともなうＰＤＣＣＨ／ＥＰＤＣＣＨをモニタするように設定されているかを判断する（Ｓ９０２）。
【０１４０】
ここで、サービングセルがセカンダリーセルであり、端末装置１が他のサービングセル（すなわち、プライマリーセル）において、サービングセル（セカンダリーセル）に対応しＣＩＦをともなうＰＤＣＣＨ／ＥＰＤＣＣＨをモニタするように設定されている場合は、他のサービングセル（プライマリーセル）に対する第１のＵＬ参照ＵＬ−ＤＬ設定、および、サービングセル（セカンダリーセル）に対する第１のＵＬ参照ＵＬ−ＤＬ設定によって形成されるペアに基づいて、サービングセル（セカンダリーセル）に対する第２のＵＬ参照ＵＬ−ＤＬ設定がセットされる（Ｓ９０４）。
【０１４１】
例えば、Ｓ９０４において、端末装置１は、図１０の表に基づいて、サービングセル（セカンダリーセル）に対する第２のＵＬ参照ＵＬ−ＤＬ設定をセットする。図１０は、他のサービングセル（プライマリーセル）に対する第１のＵＬ参照ＵＬ−ＤＬ設定、および、サービングセル（セカンダリーセル）に対する第１のＵＬ参照ＵＬ−ＤＬ設定によって形成されるペア、および、セカンダリーセルに対する第２のＵＬ参照ＵＬ−ＤＬ設定の対応を示す図である。
【０１４２】
図１０において、プライマリーセルＵＬ−ＤＬ設定は、他のサービングセル（プライマリーセル）に対する第１のＵＬ参照ＵＬ−ＤＬ設定を参照する。また、セカンダリーセルＵＬ−ＤＬ設定は、サービングセル（セカンダリーセル）に対する第１のＵＬ参照ＵＬ−ＤＬ設定を参照する。
【０１４３】
例えば、他のサービングセル（プライマリーセル）に対して第１のＵＬ参照ＵＬ−ＤＬ設定０がセットされ、サービングセル（セカンダリーセル）に対して第１のＵＬ参照ＵＬ−ＤＬ設定２がセットされている場合には、セカンダリーセルに対して第２のＵＬ参照ＵＬ−ＤＬ設定１がセットされる。
【０１４４】
また、サービングセルがプライマリーセルである、または、サービングセルがセカンダリーセルであり、端末装置１が他のサービングセル（すなわち、プライマリーセル）において、サービングセル（セカンダリーセル）に対応しＣＩＦをともなうＰＤＣＣＨ／ＥＰＤＣＣＨをモニタするように設定されていない場合は、サービングセルに対する第１のＵＬ参照ＵＬ−ＤＬ設定が、サービングセルに対する第２のＵＬ参照ＵＬ−ＤＬ設定にセットされる（Ｓ９０６）。
【０１４５】
同様に、基地局装置３は、図９に示すセッティング方法に基づいて、第２のＵＬ参照ＵＬ−ＤＬ設定をセットする。
【０１４６】
ここで、ＣＩＦをともなうＰＤＣＣＨ／ＥＰＤＣＣＨをモニタすることは、ＣＩＦを含むＤＣＩフォーマットに応じてＰＤＣＣＨまたはＥＰＤＣＣＨのデコードを試みることの意味を含む。また、ＣＩＦは、キャリアインディケータがマップされるフィールドを示す。また、キャリアインディケータの値は、該キャリアインディケータが関連するＤＣＩフォーマットが対応するサービングセルを示す。
【０１４７】
すなわち、他のサービングセルにおいて、サービングセルに対応しＣＩＦをともなうＰＤＣＣＨ／ＥＰＤＣＣＨをモニタするように設定されている端末装置１は、該他のサービングセルにおいて、ＣＩＦをともなうＰＤＣＣＨ／ＥＰＤＣＣＨをモニタする。
【０１４８】
また、他のサービングセルにおいて、サービングセルに対応しＣＩＦをともなうＰＤＣＣＨ／ＥＰＤＣＣＨをモニタするように設定されている端末装置１は、該他のサービングセルにおいて、該サービングセルに対する第３の情報をＰＤＣＣＨ／ＥＰＤＣＣＨを介して受信することが好ましい。
【０１４９】
また、他のサービングセルにおいて、サービングセルに対応しＣＩＦをともなうＰＤＣＣＨ／ＥＰＤＣＣＨをモニタするように設定されていない端末装置１は、該他のサービングセルにおいてＣＩＦをともなう、または、ＣＩＦをともなわないＰＤＣＣＨ／ＥＰＤＣＣＨをモニタしてもよい。
【０１５０】
また、他のサービングセルにおいて、サービングセルに対応しＣＩＦをともなうＰＤＣＣＨ／ＥＰＤＣＣＨをモニタするように設定されていない端末装置１は、該他のサービングセルにおいて、該サービングセルに対する第３の情報をＰＤＣＣＨ／ＥＰＤＣＣＨを介して受信することが好ましい。
【０１５１】
ここで、プライマリーセルに対するＰＤＣＣＨ／ＥＰＤＣＣＨ（ＤＣＩフォーマットでもよい）は、プライマリーセルにおいて送信される。すなわち、プライマリーセルに対する第３の情報は、プライマリーセルのＰＤＣＣＨ／ＥＰＤＣＣＨを介して送信されることが好ましい。
【０１５２】
基地局装置３は、プライマリーセルにおいて送信されるＤＣＩフォーマットにＣＩＦが含まれるかどうかを示すパラメータ（cif-Presence-r10）を、端末装置１に送信してもよい。また、基地局装置３は、セカンダリーセルのそれぞれに対して、クロスキャリアスケジューリングに関連するパラメータ（CrossCarrierSchedulingConfig-r10）を、端末装置１に送信してもよい。
【０１５３】
ここで、パラメータ（CrossCarrierSchedulingConfig-r10）は、関連するセカンダリーセルに対応するＰＤＣＣＨ／ＥＰＤＣＣＨが、該セカンダリーセルで送信されるか、他のサービングセルで送信されるかを示すパラメータ（schedulingCellInfo-r10）を含んでもよい。
【０１５４】
また、パラメータ（schedulingCellInfo-r10）が、関連するセカンダリーセルに対応するＰＤＣＣＨ／ＥＰＤＣＣＨが該セカンダリーセルで送信されることを示している場合、パラメータ（schedulingCellInfo-r10）は、該セカンダリーセルにおいて送信されるＤＣＩフォーマットにＣＩＦが含まれるかどうかを示すパラメータ（cif-Presence-r10）を含んでもよい。
【０１５５】
また、パラメータ（schedulingCellInfo-r10）が、関連するセカンダリーセルに対応するＰＤＣＣＨ／ＥＰＤＣＣＨが他のサービングセルで送信されることを示している場合、パラメータ（schedulingCellInfo-r10）は、関連する該セカンダリーセルに対する下りリンクアサインメントまたは上りリンクグラントが、何れのサービングセルで送られるかを示すパラメータ（schedulingCellId）を含んでもよい。
【０１５６】
以下、第２のＤＬ参照ＵＬ−ＤＬ設定のセッティング方法について説明する。
【０１５７】
例えば、基地局装置３および端末装置１は、端末装置１に対して複数のセルが設定されており、少なくとも２つのセルに対する第１のＤＬ参照ＵＬ−ＤＬ設定が異なる場合に、第２のＤＬ参照ＵＬ−ＤＬ設定をセットする。
【０１５８】
また、基地局装置３および端末装置１は、端末装置１に対して複数のセルが設定されており、少なくとも２つのセルに対する第１のＤＬ参照ＵＬ−ＤＬ設定が異なる場合以外は、第２のＤＬ参照ＵＬ−ＤＬ設定をセットしなくてもよい。ここで、少なくとも２つのセルに対する第１のＤＬ参照ＵＬ−ＤＬ設定が異なる場合以外とは、全ての（例えば、２つの）セルに対する第１のＤＬ参照ＵＬ−ＤＬ設定が同一の場合であることを含んでもよい。
【０１５９】
また、基地局装置３および端末装置１は、端末装置１に対して１つのセル（のみ）が設定されている場合は、第２のＤＬ参照ＵＬ−ＤＬ設定をセットしなくてもよい。
【０１６０】
図１１は、本実施形態における第２のＤＬ参照ＵＬ−ＤＬ設定のセッティング方法を示すフロー図である。図１１では、端末装置１に対して、１つのプライマリーセルと１つのセカンダリーセルが設定されていることを示している。端末装置１は、プライマリーセルおよびセカンダリーセルのそれぞれに対して、図１１におけるセッティング方法を実行してもよい。
【０１６１】
端末装置１は、プライマリーセルに対する第１のＤＬ参照ＵＬ−ＤＬ設定およびセカンダリーセルに対する第１のＤＬ参照ＵＬ−ＤＬ設定が異なるかどうかを判断する（Ｓ１１００）。ここで、端末装置１は、プライマリーセルに対する第１のＤＬ参照ＵＬ−ＤＬ設定およびセカンダリーセルに対する第１のＤＬ参照ＵＬ−ＤＬ設定が同一の場合は、第２のＤＬ参照ＵＬ−ＤＬ設定をセットせずに、第２のＤＬ参照ＵＬ−ＤＬ設定に対するセッティング処理を終了する。
【０１６２】
また、端末装置１は、プライマリーセルに対する第１のＤＬ参照ＵＬ−ＤＬ設定およびセカンダリーセルに対する第１のＤＬ参照ＵＬ−ＤＬ設定が異なる場合は、サービングセルがプライマリーセルであるか、セカンダリーセルであるかを判断する（Ｓ１１０２）。
【０１６３】
ここで、サービングセルがセカンダリーセルである場合は、他のサービングセル（すなわち、プライマリーセル）に対する第１のＤＬ参照ＵＬ−ＤＬ設、および、サービングセル（セカンダリーセル）に対する第１のＤＬ参照ＵＬ−ＤＬ設定によって形成されるペアに基づいて、サービングセル（セカンダリーセル）に対する第２のＵＬ参照ＵＬ−ＤＬ設定がセットされる（Ｓ１１０４）。
【０１６４】
例えば、Ｓ１１０４において、端末装置１は、図１２の表に基づいて、サービングセル（セカンダリーセル）に対する第２のＤＬ参照ＵＬ−ＤＬ設定をセットする。図１２は、プライマリーセルに対する第１のＤＬ参照ＵＬ−ＤＬ設定、および、セカンダリーセルに対する第１のＤＬ参照ＵＬ−ＤＬ設定によって形成されるペア、および、セカンダリーセルに対する第２のＤＬ参照ＵＬ−ＤＬ設定の対応を示す図である。
【０１６５】
図１２において、プライマリーセルＵＬ−ＤＬ設定は、プライマリーセルに対する第１のＤＬ参照ＵＬ−ＤＬ設定を参照する。また、セカンダリーセルＵＬ−ＤＬ設定は、セカンダリーセルに対する第１のＤＬ参照ＵＬ−ＤＬ設定を参照する。
【０１６６】
例えば、プライマリーセルに対する第１のＤＬ参照ＵＬ−ＤＬ設定、および、セカンダリーセルに対する第１のＤＬ参照ＵＬ−ＤＬ設定によって形成されるペアが、図１２におけるセット１に属する場合は、セカンダリーセルに対する第２のＤＬ参照ＵＬ−ＤＬ設定はセット１において定義される。
【０１６７】
また、例えば、端末装置１が、プライマリーセルにおいて、セカンダリーセルに対応しＣＩＦをともなうＰＤＣＣＨ／ＥＰＤＣＣＨをモニタするように設定されておらず、プライマリーセルに対する第１のＤＬ参照ＵＬ−ＤＬ設定、および、セカンダリーセルに対する第１のＤＬ参照ＵＬ−ＤＬ設定によって形成されるペアが、図１２におけるセット２に属する場合は、セカンダリーセルに対する第２のＤＬ参照ＵＬ−ＤＬ設定はセット２において定義される。
【０１６８】
また、プライマリーセルに対して第１のＤＬ参照ＵＬ−ＤＬ設定１がセットされ、セカンダリーセルに対して第１のＤＬ参照ＵＬ−ＤＬ設定０がセットされている場合は、セカンダリーセルに対して第２のＤＬ参照ＵＬ−ＤＬ設定１がセットされる。
【０１６９】
また、サービングセルがプライマリーセルである場合は、サービングセル（プライマリーセル）に対する第１のＤＬ参照ＵＬ−ＤＬ設定が、サービングセル（プライマリーセル）に対する第２のＤＬ参照ＵＬ−ＤＬ設定にセットされる（Ｓ１１０６）。
【０１７０】
同様に、基地局装置３は、図１１に示すセッティング方法に基づいて、第２のＤＬ参照ＵＬ−ＤＬ設定をセットする。
【０１７１】
以下、第１のＵＬ参照ＵＬ−ＤＬ設定について説明する。
【０１７２】
第１のＵＬ参照ＵＬ−ＤＬ設定は、セルにおいて、上りリンクの送信が、可能または不可能なサブフレームを特定するために少なくとも用いられる。ここで、以下の記載において、‘特定する’は、少なくとも、‘決定する’、‘選択する’、‘指示する’の意味が含まれる。
【０１７３】
例えば、端末装置１は、第１のＵＬ参照ＵＬ−ＤＬ設定を用いて下りリンクサブフレームとして指示されたサブフレームにおいて、上りリンクの送信を行なわない。また、端末装置１は、第１のＵＬ参照ＵＬ−ＤＬ設定を用いてスペシャルサブフレームとして指示されたサブフレームのＤｗＰＴＳおよびＧＰにおいて、上りリンクの送信を行なわない。
【０１７４】
以下、第１のＤＬ参照ＵＬ−ＤＬ設定について説明する。
【０１７５】
第１のＤＬ参照ＵＬ−ＤＬ設定は、セルにおいて、下りリンクの送信が、可能または不可能なサブフレームを特定するために少なくとも用いられる。
【０１７６】
例えば、端末装置１は、第１のＤＬ参照ＵＬ−ＤＬ設定を用いて上りリンクサブフレームとして指示されたサブフレームにおいて、下りリンクの送信を行なわない。また、端末装置１は、第１のＤＬ参照ＵＬ−ＤＬ設定を用いてスペシャルサブフレームとして指示されたサブフレームのＵｐＰＴＳおよびＧＰにおいて、下りリンクの送信を行なわない。
【０１７７】
また、第１の情報に基づいて第１のＤＬ参照ＵＬ−ＤＬ設定をセットしている端末装置１は、第１のＵＬ参照ＵＬ−ＤＬ設定または第１のＤＬ参照ＵＬ−ＤＬ設定を用いて指示された下りリンクサブフレームまたはスペシャルサブフレームのＤｗＰＴＳにおいて、下りリンクの信号を用いた測定（例えば、チャネル状態情報に関する測定）を行なってもよい。
【０１７８】
ここで、第１のＵＬ参照ＵＬ−ＤＬ設定を用いて上りリンクサブフレームとして指示され、第１のＤＬ参照ＵＬ−ＤＬ設定を用いて下りリンクサブフレームとして指示されたサブフレームを、第１のフレキシブルサブフレームとも称する。第１のフレキシブルサブフレームは、上りリンクの送信および下りリンクの送信のためにリザーブされるサブフレームであってもよい。
【０１７９】
また、第１のＵＬ参照ＵＬ−ＤＬ設定を用いてスペシャルサブフレームとして指示され、第１のＤＬ参照ＵＬ−ＤＬ設定を用いて下りリンクサブフレームとして指示されたサブフレームを、第２のフレキシブルサブフレームとも称する。第２のフレキシブルサブフレームは、下りリンクの送信のためにリザーブされるサブフレームであってもよい。また、第２のフレキシブルサブフレームは、ＤｗＰＴＳにおける下りリンクの送信、および、ＵｐＰＴＳにおける上りリンクの送信のためにリザーブされるサブフレームであってもよい。
【０１８０】
また、第１のＵＬ参照ＵＬ−ＤＬ設定を用いて上りリンクサブフレームとして指示され、第１のＤＬ参照ＵＬ−ＤＬ設定を用いて上りリンクサブフレームとして指示されたサブフレームを、フィックスド上りリンクサブフレーム（fixed uplink subframe）とも称する。フィックスド上りリンクサブフレーム、上りリンクの送信のためにリザーブされる。
【０１８１】
以下、第３のＵＬ−ＤＬ設定について説明する。
【０１８２】
基地局装置３および端末装置１は、サブフレームにおける送信の方向（上り／下り）に関する第３のＵＬ−ＤＬ設定をセットする。例えば、第３のＵＬ−ＤＬ設定は、サブフレームにおける送信の方向を特定するために用いられてもよい。また、第３のＵＬ−ＤＬ設定は、第１のＵＬ参照ＵＬ−ＤＬ設定と第１のＤＬ参照ＵＬ−ＤＬ設定とを用いて、異なるサブフレームとして指示されているサブフレームにおける、送信の方向を特定するために用いられてもよい。
【０１８３】
すなわち、端末装置１は、スケジューリング情報（ＤＣＩフォーマットおよび／またはＨＡＲＱ−ＡＣＫ）、および、第３のＵＬ−ＤＬ設定に基づいて、第１のフレキシブルサブフレームおよび第２のフレキシブルサブフレームにおける送信を制御する。
【０１８４】
例えば、第３のＵＬ−ＤＬ設定を示す第３の情報は、上りリンクの送信が可能なサブフレームを指示するための情報であってもよい。また、第３のＵＬ−ＤＬ設定を示す第３の情報は、下りリンクの送信が可能なサブフレームを指示するための情報であってもよい。また、第３のＵＬ−ＤＬ設定を示す第３の情報は、ＵｐＰＴＳにおける上りリンクの送信およびＤｗＰＴＳにおける下りリンクの送信が可能なサブフレームを指示するための情報であってもよい。
【０１８５】
基地局装置３は、第３のＵＬ−ＤＬ設定を用いて下りリンクサブフレームとして指示したサブフレームにおいて、下りリンクの送信のスケジューリングを行なってもよい。また、端末装置１は、第３のＵＬ−ＤＬ設定を用いて下りリンクサブフレームとして指示されたサブフレームにおいて、下りリンクの受信の処理を行ってもよい。
【０１８６】
また、基地局装置３は、第３のＵＬ−ＤＬ設定を用いて上りリンクサブフレームとして指示したサブフレームにおいて、上りリンクの送信のスケジューリングを行なってもよい。また、端末装置１は、第３のＵＬ−ＤＬ設定を用いて上りリンクサブフレームとして指示されたサブフレームにおいて、上りリンクの送信の処理を行ってもよい。
【０１８７】
また、基地局装置３は、第３のＵＬ−ＤＬ設定を用いてスペシャルサブフレームとして指示したサブフレームのＤｗＰＴＳにおいて、下りリンクの送信のスケジューリングを行なってもよい。また、端末装置１は、第３のＵＬ−ＤＬ設定を用いてスペシャルサブフレームとして指示されたサブフレームのＤｗＰＴＳにおいて、下りリンクの受信の処理を行ってもよい。
【０１８８】
ここで、第３のＵＬ−ＤＬ設定は、端末装置が、ＰＤＣＣＨおよび／またはＥＰＤＣＣＨをモニタする下りリンクサブフレームを指示（通知）するために使用されても良い。また、第３のＵＬ−ＤＬ設定（第３の情報）は、端末装置が、チャネル状態情報を測定する下りリンクサブフレーム（チャネル状態情報の測定が可能な下りリンクサブフレーム）を指示（通知）するために使用されても良い。
【０１８９】
以下、第１のＵＬ参照ＵＬ−ＤＬ設定、および、第２のＵＬ参照ＵＬ−ＤＬ設定について説明する。
【０１９０】
第１のＵＬ参照ＵＬ−ＤＬ設定および第２のＵＬ参照ＵＬ−ＤＬ設定は、ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を特定するために用いられてもよい。
【０１９１】
例えば、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同一の場合は、２つのサービングセルのそれぞれにおいて、対応する第１のＵＬ参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を特定するために用いられる。
【０１９２】
また、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、２つのサービングセルのそれぞれにおいて、対応する第２のＵＬ参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を特定するために用いられる。
【０１９３】
図１３は、本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。端末装置１は、図１３の表に従ってｋの値を特定する。
【０１９４】
図１３において、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同一の場合は、ＵＬ参照ＵＬ−ＤＬ設定として、第１のＵＬ参照ＵＬ−ＤＬ設定が参照される。
【０１９５】
また、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、ＵＬ参照ＵＬ−ＤＬ設定として、第２のＵＬ参照ＵＬ−ＤＬ設定が参照される。
【０１９６】
以下、図１３の説明において、第１のＵＬ参照ＵＬ−ＤＬ設定および第２のＵＬ参照ＵＬ−ＤＬ設定を、単にＵＬ−ＤＬ設定と称する。
【０１９７】
例えば、端末装置１は、サブフレームｎにおいて、ＵＬ−ＤＬ設定１から６がセットされているセルに対応し、端末装置１を対象とする上りリンクグラントをともなうＰＤＣＣＨ／ＥＰＤＣＣＨを検出した場合、図１３の表に基づいて特定されるサブフレームｎ＋ｋにおいて該上りリンクグラントに応じたＰＵＳＣＨでの送信を行なう。
【０１９８】
また、端末装置１は、サブフレームｎにおいて、ＵＬ−ＤＬ設定１から６がセットされているセルに対応し、端末装置１を対象とするＮＡＣＫをともなうＰＨＩＣＨの検出をした場合、図１３の表に基づいて特定されるサブフレームｎ＋ｋにおいてＰＵＳＣＨでの送信を行なう。
【０１９９】
また、ＵＬ−ＤＬ設定０が設定されたセルに対応し、端末装置１を対象とする上りリンクグラントには、２ビットの上りリンクインデックス（UL index）が含まれる。ＵＬ−ＤＬ設定１から６が設定されたセルに対応し、端末装置１を対象とする上りリンクグラントには、上りリンクインデックス（UL index）は含まれない。
【０２００】
端末装置１は、サブフレームｎにおいて、ＵＬ−ＤＬ設定０がセットされているセルに対応する上りリンクグラントに含まれる上りリンクインデックスのＭＳＢ（Most Significant Bit）が１にセットされている場合、図１３の表に基づいて特定されるサブフレームｎ＋ｋにおいて該上りリンクグラントに応じたＰＵＳＣＨでの送信を行なう（ＰＵＳＣＨでの送信を調整する）。
【０２０１】
また、端末装置１は、サブフレームｎ＝０または５における第１のリソースセットにおいて、ＵＬ−ＤＬ設定０がセットされているセルに対応するＮＡＣＫをともなうＰＨＩＣＨを受信した場合には、図１３の表に基づいて特定されるサブフレームｎ＋ｋにおいて該ＰＨＩＣＨに応じたＰＵＳＣＨでの送信を行なう。
【０２０２】
また、端末装置１は、サブフレームｎにおいて、ＵＬ−ＤＬ設定０がセットされているセルに対応する上りリンクグラントに含まれる上りリンクインデックスのＬＳＢ（Least Significant Bit）が１にセットされている場合には、サブフレームｎ＋７において該上りリンクグラントに応じたＰＵＳＣＨでの送信を行なう。
【０２０３】
また、端末装置１は、サブフレームｎ＝０または５における第２のリソースセットにおいて、ＵＬ−ＤＬ設定０がセットされているセルに対応するＮＡＣＫをともなうＰＨＩＣＨを受信した場合には、サブフレームｎ＋７において該上りリンクグラントに応じたＰＵＳＣＨでの送信を行なう。
【０２０４】
また、端末装置１は、サブフレームｎ＝１または６において、ＵＬ−ＤＬ設定０がセットされているセルに対応するＮＡＣＫをともなうＰＨＩＣＨを受信した場合には、サブフレームｎ＋７において該上りリンクグラントに応じたＰＵＳＣＨでの送信を行なう。
【０２０５】
例えば、端末装置１は、[ＳＦＮ＝ｍ、サブフレーム１]において、ＵＬ−ＤＬ設定０がセットされているセルに対応するＰＤＣＣＨ／ＥＰＤＣＣＨ／ＰＨＩＣＨを検出した場合に、６つ後のサブフレーム[ＳＦＮ＝ｍ、サブフレーム７]においてＰＵＳＣＨでの送信を行なう。
【０２０６】
また、第１のＵＬ参照ＵＬ−ＤＬ設定および第２のＵＬ参照ＵＬ−ＤＬ設定は、ＰＵＳＣＨが配置されるサブフレームｎと前記ＰＵＳＣＨが対応するＰＨＩＣＨが配置されるサブフレームｎ＋ｋとの対応を特定するために用いられてもよい。
【０２０７】
すなわち、例えば、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同一の場合は、２つのサービングセルのそれぞれにおいて、対応する第１のＵＬ参照ＵＬ−ＤＬ設定が、ＰＵＳＣＨが配置されるサブフレームｎと前記ＰＵＳＣＨが対応するＰＨＩＣＨが配置されるサブフレームｎ＋ｋとの対応を特定するために用いられる。
【０２０８】
また、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、２つのサービングセルのそれぞれにおいて、対応する第２のＵＬ参照ＵＬ−ＤＬ設定が、ＰＵＳＣＨが配置されるサブフレームｎと前記ＰＵＳＣＨが対応するＰＨＩＣＨが配置されるサブフレームｎ＋ｋとの対応を特定するために用いられる。
【０２０９】
図１４は、本実施形態におけるＰＵＳＣＨが配置されるサブフレームｎと前記ＰＵＳＣＨが対応するＰＨＩＣＨが配置されるサブフレームｎ＋ｋとの対応を示す図である。端末装置１は、図１４の表に従ってｋの値を特定する。
【０２１０】
図１４において、１つのプライマリーセルが設定されている場合、または、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が同一の場合は、ＵＬ参照ＵＬ−ＤＬ設定として、第１のＵＬ参照ＵＬ−ＤＬ設定が参照される。
【０２１１】
また、１つのプライマリーセルおよび１つのセカンダリーセルが設定され、プライマリーセルに対する第１のＵＬ参照ＵＬ−ＤＬ設定およびセカンダリーセルに対する第１のＵＬ参照ＵＬ−ＤＬ設定が異なる場合は、ＵＬ参照ＵＬ−ＤＬ設定として、第２のＵＬ参照ＵＬ−ＤＬ設定が参照される。
【０２１２】
以下、図１４の説明において、第１のＵＬ参照ＵＬ−ＤＬ設定および第２のＵＬ参照ＵＬ−ＤＬ設定を、単にＵＬ−ＤＬ設定と称する。
【０２１３】
端末装置１は、サブフレームｎにおいてＰＵＳＣＨでの送信がスケジュールされた場合には、図１４の表から特定されるサブフレームｎ＋ｋにおいてＰＨＩＣＨリソースを特定する。
【０２１４】
例えば、ＵＬ−ＤＬ設定０がセットされているセルに対して、[ＳＦＮ=ｍ、サブフレームｎ＝２]においてＰＵＳＣＨでの送信がスケジュールされた場合には、[ＳＦＮ=ｍ、サブフレームｎ＝６]においてＰＨＩＣＨリソースが特定される。
【０２１５】
以下、第１のＤＬ参照ＵＬ−ＤＬ設定および第２のＤＬ参照ＵＬ−ＤＬ設定）について説明する。
【０２１６】
第１のＤＬ参照ＵＬ−ＤＬ設定および第２のＤＬ参照ＵＬ−ＤＬ設定は、ＰＤＳＣＨが配置されるサブフレームｎと前記ＰＤＳＣＨに対応するＨＡＲＱ−ＡＣＫが送信されるサブフレームｎ＋ｋとの対応を特定するために用いられる。
【０２１７】
例えば、１つのプライマリーセルが設定されている場合、または、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が同じ場合は、２つのサービングセルのそれぞれにおいて、対応する第１のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定するために用いられる。
【０２１８】
また、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、２つのサービングセルのそれぞれにおいて、対応する第２のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定するために用いられる。
【０２１９】
図１５は、本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。端末装置１は、図１５の表に従ってｋの値を特定する。
【０２２０】
図１５において、１つのプライマリーセルが設定されている場合、または、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が同一の場合は、ＤＬ参照ＵＬ−ＤＬ設定として、第１のＤＬ参照ＵＬ−ＤＬ設定が参照される。
【０２２１】
また、１つのプライマリーセルおよび１つのセカンダリーセルが設定され、プライマリーセルに対する第１のＤＬ参照ＵＬ−ＤＬ設定およびセカンダリーセルに対する第１のＤＬ参照ＵＬ−ＤＬ設定が異なる場合は、ＤＬ参照ＵＬ−ＤＬ設定として、第２のＤＬ参照ＵＬ−ＤＬ設定が参照される。
【０２２２】
以下、図１５の説明において、第１のＤＬ参照ＵＬ−ＤＬ設定および第２のＤＬ参照ＵＬ−ＤＬ設定を、単にＵＬ−ＤＬ設定と称する。
【０２２３】
端末装置１は、サービングセルのサブフレームｎ−ｋ（ｋは図１５の表によって特定される）において、端末装置１を対象としており、対応するＨＡＲＱ−ＡＣＫの送信を行なうべきＰＤＳＣＨでの送信を検出した場合には、サブフレームｎにおいてＨＡＲＱ−ＡＣＫを送信する。
【０２２４】
ここで、例えば、端末装置１は、システムインフォメーションの送信に用いられるＰＤＳＣＨでの送信に対するＨＡＲＱ−ＡＣＫの応答を行なわない。また、端末装置１は、Ｃ−ＲＮＴＩによってスクランブルされたＣＲＣをともなうＤＣＩフォーマットによってスケジュールされたＰＤＳＣＨでの送信に対するＨＡＲＱ−ＡＣＫの応答を行なう。
【０２２５】
また、端末装置１は、サブフレームｎ＝２において、ＵＬ−ＤＬ設定１がセットされているセルにおけるサブフレームｎ−６および／またはｎ−７において受信したＰＤＳＣＨに対するＨＡＲＱ−ＡＣＫの送信を行なう。
【０２２６】
ここで、第２の情報が受信されない場合には、第１のＤＬ参照ＵＬ−ＤＬ設定は設定されなくてもよい。この場合、基地局装置３および端末装置１は、上述した第１のＤＬ参照ＵＬ−ＤＬ設定に基づいて行なわれる処理を、第１のＵＬ参照ＵＬ−ＤＬ設定（サービングセルＵＬ−ＤＬ設定）に基づいて行なってもよい。
【０２２７】
例えば、１つのプライマリーセルおよび１つのセカンダリーセルが設定され、セカンダリーセルに対する第２の情報を受信しておらず、プライマリーセルに対する第２の情報を受信しており、セカンダリーセルに対する第１のＵＬ参照ＵＬ−ＤＬ設定（サービングセルＵＬ−ＤＬ設定）およびプライマリーセルに対する第１のＤＬ参照ＵＬ−ＤＬ設定が異なり、サービングセルがセカンダリーセルである場合は、他のサービングセル(プライマリーセル）に対する第１のＤＬ参照ＵＬ−ＤＬ設定、および、サービングセル（セカンダリーセル）に対する第１のＵＬ参照ＵＬ−ＤＬ設定によって形成されるペアに基づいて、サービングセル（セカンダリーセル）に対する第２のＤＬ参照ＵＬ−ＤＬ設定をセットしてもよい。
【０２２８】
また、例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が異なり、サービングセルがセカンダリーセルである場合は、他のサービングセル(プライマリーセル）に対する第１のＵＬ参照ＵＬ−ＤＬ設定、および、サービングセル（セカンダリーセル）に対する第１のＤＬ参照ＵＬ−ＤＬ設定によって形成されるペアに基づいて、サービングセル（セカンダリーセル）に対する第２のＤＬ参照ＵＬ−ＤＬ設定をセットしてもよい。
【０２２９】
また、例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が異なる場合は、２つのサービングセルのそれぞれにおいて、対応する第２のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定するために用いられてもよい。
【０２３０】
また、例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が同じ場合は、プライマリーセルにおいて、対応する第１のＵＬ参照ＵＬ−ＤＬ設定（サービングセルＵＬ−ＤＬ設定）が、ＰＤＳＣＨが配置されるサブフレームｎと前記ＰＤＳＣＨに対応するＨＡＲＱ−ＡＣＫが送信されるサブフレームｎ＋ｋとの対応を特定するために用いられ、セカンダリーセルにおいて、対応する第１のＤＬ参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定するために用いられてもよい。
【０２３１】
また、例えば、１つのプライマリーセルおよび１つのセカンダリーセルが設定され、プライマリーセルに対する第２の情報を受信しておらず、セカンダリーセルに対する第２の情報を受信しており、プライマリーセルに対する第１のＵＬ参照ＵＬ−ＤＬ設定（サービングセルＵＬ−ＤＬ設定）およびセカンダリーセルに対する第１のＤＬ参照ＵＬ−ＤＬ設定が異なる場合は、図１０および図１２において、プライマリーセルＵＬ−ＤＬ設定は、プライマリーセルに対する第１のＵＬ参照ＵＬ−ＤＬ設定を参照してもよい。
【０２３２】
ここで、第１のＤＬ参照ＵＬ−ＤＬ設定がセットされるサービングセルに対して、第２のＵＬ参照ＵＬ−ＤＬ設定および第２のＤＬ参照ＵＬ−ＤＬ設定はセットされなくてもよい。
【０２３３】
以下、下りリンクデータの送受信の方法について説明する。
【０２３４】
以下の説明において、第１のＵＬ参照ＵＬ−ＤＬ設定および第２のＵＬ参照ＵＬ−ＤＬ設定を総称して、ＵＬ参照ＵＬ−ＤＬ設定とも称する。また、第１のＤＬ参照ＵＬ−ＤＬ設定および第２のＤＬ参照ＵＬ−ＤＬ設定を総称して、ＤＬ参照ＵＬ−ＤＬ設定とも称する。
【０２３５】
ここで、第１のＵＬ参照ＵＬ−ＤＬ設定がセットされ、且つ、第２のＵＬ参照ＵＬ−ＤＬ設定がセットされていない場合には、ＵＬ参照ＵＬ−ＤＬ設定は第１のＵＬ参照ＵＬ−ＤＬ設定でもよい。また、第１のＵＬ参照ＵＬ−ＤＬ設定がセットされ、且つ、第２のＵＬ参照ＵＬ−ＤＬ設定がセットされている場合には、ＵＬ参照ＵＬ−ＤＬ設定は第１のＵＬ参照ＵＬ−ＤＬ設定でもよい。また、第１のＵＬ参照ＵＬ−ＤＬ設定がセットされ、且つ、第２のＵＬ参照ＵＬ−ＤＬ設定がセットされている場合には、ＵＬ参照ＵＬ−ＤＬ設定は第２のＵＬ参照ＵＬ−ＤＬ設定でもよい。
【０２３６】
また、第１のＤＬ参照ＵＬ−ＤＬ設定がセットされ、且つ、第２のＤＬ参照ＵＬ−ＤＬ設定がセットされていない場合には、ＤＬ参照ＵＬ−ＤＬ設定は第１のＤＬ参照ＵＬ−ＤＬ設定でもよい。また、第１のＤＬ参照ＵＬ−ＤＬ設定がセットされ、且つ、第２のＤＬ参照ＵＬ−ＤＬ設定がセットされている場合には、ＤＬ参照ＵＬ−ＤＬ設定は第１のＤＬ参照ＵＬ−ＤＬ設定でもよい。また、第１のＤＬ参照ＵＬ−ＤＬ設定がセットされ、且つ、第２のＤＬ参照ＵＬ−ＤＬ設定がセットされている場合には、ＤＬ参照ＵＬ−ＤＬ設定は第２のＤＬ参照ＵＬ−ＤＬ設定でもよい。
【０２３７】
端末装置１は、あるサブフレームにおいて、ＤＣＩフォーマットを検出した場合には、該あるサブフレームと同一のサブフレームにおいて、該ＤＣＩフォーマットを用いてスケジュールされたＰＤＳＣＨをデコードしてもよい。すなわち、端末装置１は、あるサブフレームにおけるＤＣＩフォーマットの検出に基づいて、該あるサブフレームと同一のサブフレームにおいて、該ＤＣＩフォーマットに対応するＰＤＳＣＨをデコードしてもよい。
【０２３８】
ここで、端末装置１は、あるサブフレームを下りリンクサブフレームとして想定して、ＰＤＳＣＨをデコードしてもよい。端末装置１は、あるサブフレームを下りリンクサブフレームとして想定した場合には、少なくとも、該あるサブフレームに、ＧＰフィールドおよびＵｐＰＴＳフィールドが含まれていないことを想定して、ＰＤＳＣＨをデコードしてもよい。
【０２３９】
すなわち、端末装置１は、あるサブフレームを下りリンクサブフレームとして想定した場合には、少なくとも、ＰＤＳＣＨが、ＰＤＳＣＨでの送信のために割り当てられた物理リソースブロックにマップされると想定して、ＰＤＳＣＨをデコードしてもよい。すなわち、端末装置１は、該あるサブフレームにおいて、下りリンクデータの送信に使用されるＰＤＳＣＨ（ＰＤＳＣＨのシンボルでもよい）が、ＰＤＳＣＨのマップが開始されるＯＦＤＭシンボルから最後のＯＦＤＭシンボルまでに、基地局装置３によってマップされていることを想定して、ＰＤＳＣＨをデコードしてもよい。
【０２４０】
例えば、端末装置１は、図４に示したように、ＰＤＳＣＨ（ＰＤＳＣＨのシンボルでもよい）が、下りリンクサブフレーム内の４番目から１４番目のリソースエレメントにマップされると想定して、ＰＤＳＣＨをデコードしてもよい。
【０２４１】
また、端末装置１は、あるサブフレームをスペシャルサブフレームとして想定して、ＰＤＳＣＨをデコードしてもよい。端末装置１は、あるサブフレームをスペシャルサブフレームとして想定した場合には、少なくとも、該あるサブフレームに、ＧＰフィールドおよびＵｐＰＴＳフィールドが含まれていることを想定して、ＰＤＳＣＨをデコードしてもよい。
【０２４２】
すなわち、端末装置１は、あるサブフレームをスペシャルサブフレームとして想定した場合には、少なくとも、ＰＤＳＣＨが、ＰＤＳＣＨでの送信のために割り当てられた物理リソースブロックにマップされると想定して、ＰＤＳＣＨをデコードしてもよい。
【０２４３】
さらに、端末装置１は、あるサブフレームをスペシャルサブフレームとして想定した場合には、少なくとも、ＰＤＳＣＨ（ＰＤＳＣＨのシンボルでもよい）が、ＤｗＰＴＳフィールド（ＤｗＰＴＳフィールドに対応するリソースエレメントでもよい）のみにマップされると想定して、ＰＤＳＣＨをデコードしてもよい。すなわち、端末装置１は、該あるサブフレームにおいて、下りリンクデータの送信に使用されるＰＤＳＣＨ（ＰＤＳＣＨのシンボルでもよい）が、ＰＤＳＣＨのマップが開始されるＯＦＤＭシンボルからＤｗＰＴＳにおける最後のＯＦＤＭシンボルまでに、基地局装置３によってマップされていることを想定して、ＰＤＳＣＨをデコードしてもよい。
【０２４４】
また、端末装置１は、あるサブフレームをスペシャルサブフレームとして想定した場合には、少なくとも、ＰＤＳＣＨ（ＰＤＳＣＨのシンボルでもよい）が、ＧＰフィールド（ＧＰフィールドに対応するリソースエレメントでもよい）およびＵｐＰＴＳフィールド（ＵｐＰＴＳフィールドに対応するリソースエレメントでもよい）にマップされないと想定して、ＰＤＳＣＨをデコードしてもよい。
【０２４５】
例えば、端末装置１は、図６に示したように、ＰＤＳＣＨ（ＰＤＳＣＨのシンボルでもよい）が、下りリンクサブフレーム内の４番目から１０番目のリソースエレメントにマップされると想定して、ＰＤＳＣＨをデコードしてもよい。
【０２４６】
以下の、図１６および図１７の説明において、Ｃ−ＲＮＴＩ、ＳＰＳ  Ｃ−ＲＮＴＩ、ＲＡ−ＲＮＴＩ、Ｐ−ＲＮＴＩ、または、ＳＩ−ＲＮＴＩによってスクランブルされたＣＲＣパリティビットが付加されたＤＣＩフォーマットを、単に、ＤＣＩフォーマットとも記載する。上述したように、ＰＤＳＣＨのスケジューリングに用いられるＤＣＩフォーマットには、ＤＣＩフォーマット１ＡおよびＤＣＩフォーマット１Ｃが含まれてもよい。
【０２４７】
また、図１６および図１７の説明において、Ｃ−ＲＮＴＩ、ＳＰＳ  Ｃ−ＲＮＴＩ、ＲＡ−ＲＮＴＩ、Ｐ−ＲＮＴＩ、または、ＳＩ−ＲＮＴＩによってスクランブルされたＣＲＣパリティビットが付加されたＤＣＩフォーマット１Ａを、単に、ＤＣＩフォーマット１Ａとも記載する。
【０２４８】
図１６は、本実施形態における下りリンクデータの送受信の方法を説明するための図である。図１６では、一例として、ＵＬ参照ＵＬ−ＤＬ設定０、ＤＬ参照ＵＬ−ＤＬ設定５、第３のＵＬ−ＤＬ設定３がセットされている場合を示している。
【０２４９】
ここで、図１６におけるサブフレーム６は、ＵＬ参照ＵＬ−ＤＬ設定に基づいてスペシャルサブフレームとして設定され、ＤＬ参照ＵＬ−ＤＬ設定に基づいて下りリンクフレームとして設定され、第３のＵＬ−ＤＬ設定に基づいて下りリンクサブフレームとして設定されたサブフレームである。
【０２５０】
すなわち、図１６におけるサブフレーム６は、ＵＬ参照ＵＬ−ＤＬ設定に基づいてスペシャルサブフレームとして設定されたサブフレームである。また、図１６におけるサブフレーム６は、ＤＬ参照ＵＬ−ＤＬ設定に基づいて下りリンクサブフレームとして設定されたサブフレームである。また、図１６におけるサブフレーム６は、第３のＵＬ−ＤＬ設定に基づいて下りリンクサブフレームとして設定されたサブフレームである。
【０２５１】
以下、図１６におけるサブフレーム６における端末装置１の動作（処理）を説明する。ここで、以下の記載では、基本的には端末装置１における動作を記載するが、基地局装置３において、端末装置１の動作に対応する動作が行なわれることは勿論である。
【０２５２】
図１６におけるサブフレーム６において、端末装置１は、ＤＣＩフォーマット１Ａに付加されたＣＲＣパリティビットがいずれのＲＮＴＩによってスクランブルされているかに基づいて、該サブフレーム６を、下りリンクサブフレームまたはスペシャルサブフレームとして想定し、対応するＰＤＳＣＨをデコードしてもよい。
【０２５３】
例えば、図１６におけるサブフレーム６において、端末装置１は、Ｃ−ＲＮＴＩによってスクランブルされたＣＲＣパリティビットが付加されたＤＣＩフォーマット１Ａを用いてＰＤＳＣＨがスケジュールされた場合には、該サブフレーム６を下りリンクサブフレームとして想定し、対応するＰＤＳＣＨをデコードしてもよい。
【０２５４】
すなわち、図１６におけるサブフレーム６において、端末装置１は、Ｃ−ＲＮＴＩによってスクランブルされたＣＲＣパリティビットが付加されたＤＣＩフォーマット１Ａを用いてＰＤＳＣＨがスケジュールされた場合には、第３のＵＬ−ＤＬ設定に基づいて、該サブフレーム６を、下りリンクサブフレームとして想定してもよい。
【０２５５】
また、図１６におけるサブフレーム６において、端末装置１は、ＳＰＳ  Ｃ−ＲＮＴＩによってスクランブルされたＣＲＣパリティビットが付加されたＤＣＩフォーマット１Ａを用いてＰＤＳＣＨがスケジュールされた場合には、該サブフレーム６を下りリンクサブフレームとして想定し、対応するＰＤＳＣＨをデコードしてもよい。
【０２５６】
すなわち、図１６におけるサブフレーム６において、端末装置１は、ＳＰＳ  Ｃ−ＲＮＴＩによってスクランブルされたＣＲＣパリティビットが付加されたＤＣＩフォーマット１Ａを用いてＰＤＳＣＨがスケジュールされた場合には、第３のＵＬ−ＤＬ設定に基づいて、該サブフレーム６を、下りリンクサブフレームとして想定してもよい。
【０２５７】
また、図１６におけるサブフレーム６において、端末装置１は、ＰＤＣＣＨをともなわないＰＤＳＣＨがセミパーシステントにスケジュールされた場合には、該サブフレーム６を下りリンクサブフレームとして想定し、対応するＰＤＳＣＨをデコードしてもよい。
【０２５８】
すなわち、図１６におけるサブフレーム６において、端末装置１は、ＰＤＣＣＨをともなわないＰＤＳＣＨがセミパーシステントにスケジュールされた場合には、第３のＵＬ−ＤＬ設定に基づいて、該サブフレーム６を、下りリンクサブフレームとして想定してもよい。
【０２５９】
また、図１６におけるサブフレーム６において、端末装置１は、ＰＤＣＣＨをともなわないＰＤＳＣＨがセミパーシステントにスケジュールされた場合には、該サブフレーム６をスペシャルサブフレームとして想定し、対応するＰＤＳＣＨをデコードしてもよい。
【０２６０】
すなわち、図１６におけるサブフレーム６において、端末装置１は、ＰＤＣＣＨをともなわないＰＤＳＣＨがセミパーシステントにスケジュールされた場合には、ＵＬ参照ＵＬ−ＤＬ設定に基づいて、該サブフレーム６を、スペシャルサブフレームとして想定してもよい。
【０２６１】
また、図１６におけるサブフレーム６において、端末装置１は、ＲＡ−ＲＮＴＩによってスクランブルされたＣＲＣパリティビットが付加されたＤＣＩフォーマット１Ａを用いてＰＤＳＣＨがスケジュールされた場合には、該サブフレーム６をスペシャルサブフレームとして想定し、対応するＰＤＳＣＨをデコードしてもよい。
【０２６２】
すなわち、図１６におけるサブフレーム６において、端末装置１は、ＲＡ−ＲＮＴＩによってスクランブルされたＣＲＣパリティビットが付加されたＤＣＩフォーマット１Ａを用いてＰＤＳＣＨがスケジュールされた場合には、ＵＬ参照ＵＬ−ＤＬ設定に基づいて、該サブフレーム６を、スペシャルサブフレームとして想定してもよい。
【０２６３】
また、図１６におけるサブフレーム６において、端末装置１は、Ｐ−ＲＮＴＩによってスクランブルされたＣＲＣパリティビットが付加されたＤＣＩフォーマット１Ａを用いてＰＤＳＣＨがスケジュールされた場合には、該サブフレーム６をスペシャルサブフレームとして想定し、対応するＰＤＳＣＨをデコードしてもよい。
【０２６４】
すなわち、図１６におけるサブフレーム６において、端末装置１は、Ｐ−ＲＮＴＩによってスクランブルされたＣＲＣパリティビットが付加されたＤＣＩフォーマット１Ａを用いてＰＤＳＣＨがスケジュールされた場合には、ＵＬ参照ＵＬ−ＤＬ設定に基づいて、該サブフレーム６を、スペシャルサブフレームとして想定してもよい。
【０２６５】
また、図１６におけるサブフレーム６において、端末装置１は、ＳＩ−ＲＮＴＩによってスクランブルされたＣＲＣパリティビットが付加されたＤＣＩフォーマット１Ａを用いてＰＤＳＣＨがスケジュールされた場合には、該サブフレーム６をスペシャルサブフレームとして想定し、対応するＰＤＳＣＨをデコードしてもよい。
【０２６６】
すなわち、図１６におけるサブフレーム６において、端末装置１は、ＳＩ−ＲＮＴＩによってスクランブルされたＣＲＣパリティビットが付加されたＤＣＩフォーマット１Ａを用いてＰＤＳＣＨがスケジュールされた場合には、ＵＬ参照ＵＬ−ＤＬ設定に基づいて、該サブフレーム６を、スペシャルサブフレームとして想定してもよい。
【０２６７】
図１７は、本実施形態における下りリンクデータの送受信の方法を説明するための別の図である。図１７では、一例として、ＵＬ参照ＵＬ−ＤＬ設定０、ＤＬ参照ＵＬ−ＤＬ設定５、第３のＵＬ−ＤＬ設定２がセットされている場合を示している。
【０２６８】
ここで、図１７におけるサブフレーム６は、ＵＬ参照ＵＬ−ＤＬ設定に基づいてスペシャルサブフレームとして設定され、ＤＬ参照ＵＬ−ＤＬ設定に基づいて下りリンクフレームとして設定され、第３のＵＬ−ＤＬ設定に基づいてスペシャルサブフレームとして設定されたサブフレームである。
【０２６９】
すなわち、図１７におけるサブフレーム６は、ＵＬ参照ＵＬ−ＤＬ設定に基づいてスペシャルサブフレームとして設定されたサブフレームである。また、図１７におけるサブフレーム６は、ＤＬ参照ＵＬ−ＤＬ設定に基づいて下りリンクサブフレームとして設定されたサブフレームである。また、図１７におけるサブフレーム６は、第３のＵＬ−ＤＬ設定に基づいてスペシャルサブフレームとして設定されたサブフレームである。
【０２７０】
以下、図１７におけるサブフレーム６での端末装置１の動作（処理）を説明する。ここで、以下の記載では、基本的には端末装置１における動作を記載するが、基地局装置３において、端末装置１の動作に対応する動作が行なわれることは勿論である。
【０２７１】
図１７におけるサブフレーム６において、端末装置１は、ＤＣＩフォーマット１Ａに付加されたＣＲＣパリティビットがいずれのＲＮＴＩによってスクランブルされているかに関わらず、該サブフレーム６を、スペシャルサブフレームとして想定し、対応するＰＤＳＣＨをデコードしてもよい。
【０２７２】
すなわち、図１７におけるサブフレーム６において、端末装置１は、ＤＣＩフォーマット１Ａを用いてＰＤＳＣＨがスケジュールされた場合には、該サブフレーム６をスペシャルサブフレームとして想定し、対応するＰＤＳＣＨをデコードしてもよい。
【０２７３】
すなわち、図１７におけるサブフレーム６において、端末装置１は、ＤＣＩフォーマット１Ａを用いてＰＤＳＣＨがスケジュールされた場合には、ＵＬ参照ＵＬ−ＤＬ設定に基づいて、該サブフレーム６を、スペシャルサブフレームとして想定してもよい。
【０２７４】
また、図１７におけるサブフレーム６において、端末装置１は、ＤＣＩフォーマット１Ａを用いてＰＤＳＣＨがスケジュールされた場合には、第３のＵＬ−ＤＬ設定に基づいて、該サブフレーム６を、スペシャルサブフレームとして想定してもよい。
【０２７５】
また、図１７におけるサブフレーム６において、端末装置１は、ＰＤＣＣＨをともなわないＰＤＳＣＨがセミパーシステントにスケジュールされた場合には、該サブフレーム６をスペシャルサブフレームとして想定し、対応するＰＤＳＣＨをデコードしてもよい。
【０２７６】
すなわち、図１７におけるサブフレーム６において、端末装置１は、ＰＤＣＣＨをともなわないＰＤＳＣＨがセミパーシステントにスケジュールされた場合には、ＵＬ参照ＵＬ−ＤＬ設定に基づいて、該サブフレーム６を、スペシャルサブフレームとして想定してもよい。
【０２７７】
すなわち、図１７におけるサブフレーム６において、端末装置１は、ＰＤＣＣＨをともなわないＰＤＳＣＨがセミパーシステントにスケジュールされた場合には、第３のＵＬ−ＤＬ設定に基づいて、該サブフレーム６を、スペシャルサブフレームとして想定してもよい。
【０２７８】
上述までの、図１６におけるサブフレーム６での端末装置１の動作、および、図１７におけるサブフレーム６での端末装置１の動作は、ＵＬ参照ＵＬ−ＤＬ設定がセットされ、ＤＬ参照ＵＬ−ＤＬ設定がセットされ、且つ、第３のＵＬ−ＤＬ設定がセットされている場合の動作を示している。
【０２７９】
ここで、図１６および図１７において、ＵＬ参照ＵＬ−ＤＬ設定がセットされ、ＤＬ参照ＵＬ−ＤＬ設定がセットされ、且つ、第３のＵＬ−ＤＬ設定がセットされていない場合に、サブフレーム６においてＤＣＩフォーマットを検出した端末装置１は、該サブフレーム６をスペシャルサブフレームとして想定し、対応するＰＤＳＣＨをデコードしてもよい。
【０２８０】
すなわち、図１６および図１７において、第３のＵＬ−ＤＬ設定をセットしていない場合に、サブフレーム６においてＤＣＩフォーマットを検出した端末装置１は、ＵＬ参照ＵＬ−ＤＬ設定に基づいて、該サブフレーム６を、スペシャルサブフレームとして想定してもよい。
【０２８１】
また、図１６および図１７において、ＵＬ参照ＵＬ−ＤＬ設定がセットされ、ＤＬ参照ＵＬ−ＤＬ設定がセットされ、且つ、第３のＵＬ−ＤＬ設定がセットされていない場合に、サブフレーム６においてＤＣＩフォーマットを検出した端末装置１は、該サブフレーム６を下りリンクサブフレームとして想定し、対応するＰＤＳＣＨをデコードしてもよい。
【０２８２】
すなわち、図１６および図１７において、第３のＵＬ−ＤＬ設定をセットしていない場合に、サブフレーム６においてＤＣＩフォーマットを検出した端末装置１は、ＤＬ参照ＵＬ−ＤＬ設定に基づいて、該サブフレーム６を、下りリンクサブフレームとして想定してもよい。
【０２８３】
また、図１６および図１７において、ＵＬ参照ＵＬ−ＤＬ設定がセットされ、ＤＬ参照ＵＬ−ＤＬ設定がセットされ、且つ、第３のＵＬ−ＤＬ設定がセットされていない場合に、サブフレーム６において、Ｃ−ＲＮＴＩまたはＳＰＳ  Ｃ−ＲＮＴＩによってスクランブルされたＣＲＣパリティビットが付加されたＤＣＩフォーマット１Ａを検出した端末装置１は、該サブフレーム６を下りリンクサブフレームとして想定し、対応するＰＤＳＣＨをデコードしてもよい。
【０２８４】
すなわち、図１６および図１７において、第３のＵＬ−ＤＬ設定をセットしていない場合に、サブフレーム６において、Ｃ−ＲＮＴＩまたはＳＰＳ  Ｃ−ＲＮＴＩによってスクランブルされたＣＲＣパリティビットが付加されたＤＣＩフォーマット１Ａを検出した端末装置１は、ＤＬ参照ＵＬ−ＤＬ設定に基づいて、該サブフレーム６を、下りリンクサブフレームとして想定してもよい。
【０２８５】
また、図１６および図１７において、ＵＬ参照ＵＬ−ＤＬ設定がセットされ、ＤＬ参照ＵＬ−ＤＬ設定がセットされ、且つ、第３のＵＬ−ＤＬ設定がセットされていない場合に、サブフレーム６において、ＲＡ−ＲＮＴＩ、Ｐ−ＲＮＴＩ、または、ＳＩ−ＲＮＴＩによってスクランブルされたＣＲＣパリティビットが付加されたＤＣＩフォーマット１Ａを検出した端末装置１は、該サブフレーム６をスペシャルサブフレームとして想定し、対応するＰＤＳＣＨをデコードしてもよい。
【０２８６】
すなわち、図１６および図１７において、第３のＵＬ−ＤＬ設定をセットしていない場合に、サブフレーム６において、ＲＡ−ＲＮＴＩ、Ｐ−ＲＮＴＩ、または、ＳＩ−ＲＮＴＩによってスクランブルされたＣＲＣパリティビットが付加されたＤＣＩフォーマット１Ａを検出した端末装置１は、ＵＬ参照ＵＬ−ＤＬ設定に基づいて、該サブフレーム６をスペシャルサブフレームとして想定してもよい。
【０２８７】
また、図１６および図１７において、ＵＬ参照ＵＬ−ＤＬ設定がセットされ、ＤＬ参照ＵＬ−ＤＬ設定がセットされ、且つ、第３のＵＬ−ＤＬ設定がセットされていない場合に、サブフレーム６において、端末装置１は、ＰＤＣＣＨをともなわない、セミパーシステントにスケジュールされたＰＤＳＣＨに対して、該サブフレーム６をスペシャルサブフレームとして想定し、該ＰＤＳＣＨをデコードしてもよい。
【０２８８】
すなわち、図１６および図１７において、第３のＵＬ−ＤＬ設定をセットしていない場合に、サブフレーム６において、端末装置１は、ＰＤＣＣＨをともなわない、セミパーシステントにスケジュールされたＰＤＳＣＨに対して、ＵＬ参照ＵＬ−ＤＬ設定に基づいて、該サブフレーム６をスペシャルサブフレームとして想定してもよい。
【０２８９】
すなわち、図１６および図１７において、端末装置１は、第３のＵＬ−ＤＬ設定をセットしている場合に（有効な第３のＵＬ−ＤＬ設定を持っている場合に）、Ｃ−ＲＮＴＩまたはＳＰＳ  Ｃ−ＲＮＴＩによってスクランブルされたＣＲＣパリティビットが付加されたＤＣＩフォーマット１Ａを用いて指示されたＰＤＳＣＨでの送信に対して、第３のＵＬ−ＤＬ設定に基づいてＰＤＳＣＨをデコードしてもよい（ＰＤＳＣＨがリソースエレメントにマップされていると想定してもよい）。
【０２９０】
また、図１６および図１７において、端末装置１は、第３のＵＬ−ＤＬ設定をセットしている場合に（有効な第３のＵＬ−ＤＬ設定を持っている場合に）、ＲＡ−ＲＮＴＩ、Ｐ−ＲＮＴＩ、または、ＳＩ−ＲＮＴＩによってスクランブルされたＣＲＣパリティビットが付加されたＤＣＩフォーマット１Ａを用いて指示されたＰＤＳＣＨでの送信に対して、第１のＵＬ−ＤＬ設定に基づいてＰＤＳＣＨをデコードしてもよい（ＰＤＳＣＨがリソースエレメントにマップされていると想定してもよい）。
【０２９１】
また、図１６および図１７において、端末装置１は、第３のＵＬ−ＤＬ設定をセットしている場合に（有効な第３のＵＬ−ＤＬ設定を持っている場合に）、Ｃ−ＲＮＴＩまたはＳＰＳ  Ｃ−ＲＮＴＩによってスクランブルされたＣＲＣパリティビットが付加されたＤＣＩフォーマット１Ａを用いて指示されたＰＤＳＣＨでの送信を除いて、第１のＵＬ−ＤＬ設定に基づいてＰＤＳＣＨをデコードしてもよい（ＰＤＳＣＨがリソースエレメントにマップされていると想定してもよい）。
【０２９２】
また、図１６および図１７において、端末装置１は、第３のＵＬ−ＤＬ設定をセットしている場合に（有効な第３のＵＬ−ＤＬ設定を持っている場合に）、ＲＡ−ＲＮＴＩ、Ｐ−ＲＮＴＩ、または、ＳＩ−ＲＮＴＩによってスクランブルされたＣＲＣパリティビットが付加されたＤＣＩフォーマット１Ａを用いて指示されたＰＤＳＣＨでの送信を除いて、第３のＵＬ−ＤＬ設定に基づいてＰＤＳＣＨをデコードしてもよい（ＰＤＳＣＨがリソースエレメントにマップされていると想定してもよい）。
【０２９３】
また、図１６および図１７において、端末装置１は、第３のＵＬ−ＤＬ設定をセットしていない場合に（有効な第３のＵＬ−ＤＬ設定を持っていない場合に）、Ｃ−ＲＮＴＩまたはＳＰＳ  Ｃ−ＲＮＴＩによってスクランブルされたＣＲＣパリティビットが付加されたＤＣＩフォーマット１Ａを用いて指示されたＰＤＳＣＨでの送信に対して、第１のＵＬ−ＤＬ設定に基づいてＰＤＳＣＨをデコードしてもよい（ＰＤＳＣＨがリソースエレメントにマップされていると想定してもよい）。
【０２９４】
また、図１６および図１７において、端末装置１は、第３のＵＬ−ＤＬ設定をセットしていない場合に（有効な第３のＵＬ−ＤＬ設定を持っていない場合に）、Ｃ−ＲＮＴＩまたはＳＰＳ  Ｃ−ＲＮＴＩによってスクランブルされたＣＲＣパリティビットが付加されたＤＣＩフォーマット１Ａを用いて指示されたＰＤＳＣＨでの送信に対して、第２のＵＬ−ＤＬ設定に基づいてＰＤＳＣＨをデコードしてもよい（ＰＤＳＣＨがリソースエレメントにマップされていると想定してもよい）。
【０２９５】
また、図１６および図１７において、端末装置１は、第３のＵＬ−ＤＬ設定をセットしていない場合に（有効な第３のＵＬ−ＤＬ設定を持っていない場合に）、ＲＡ−ＲＮＴＩ、Ｐ−ＲＮＴＩ、または、ＳＩ−ＲＮＴＩによってスクランブルされたＣＲＣパリティビットが付加されたＤＣＩフォーマット１Ａを用いて指示されたＰＤＳＣＨでの送信に対して、第１のＵＬ−ＤＬ設定に基づいてＰＤＳＣＨをデコードしてもよい（ＰＤＳＣＨがリソースエレメントにマップされていると想定してもよい）。
【０２９６】
以下、本実施形態における装置の構成について説明する。
【０２９７】
図１８は、本実施形態における端末装置１の構成を示す概略ブロック図である。図示するように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、受信制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０２９８】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０２９９】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０３００】
すなわち、無線リソース制御部１０１１は、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、第３のＵＬ−ＤＬ設定をセットする。
【０３０１】
上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０３０２】
上位層処理部１０１が備える受信制御部１０１５は、ＤＣＩフォーマットに付加されたＣＲＣパリティビットのスクランブルに用いられたＲＮＴＩに基づいてサブフレームを識別し、受信部１０５に対して、識別したサブフレームに基づいてＰＤＳＣＨをデコードするよう制御する。ここで、受信制御部１０１５の機能は、受信部１０５に含まれてもよい。
【０３０３】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０３０４】
受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０３０５】
無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０３０６】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０３０７】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０３０８】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０３０９】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【０３１０】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。
【０３１１】
符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０３１２】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０３１３】
上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０３１４】
無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０３１５】
図１９は、本実施形態における基地局装置３の構成を示す概略ブロック図である。図示するように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、送信制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０３１６】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０３１７】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０３１８】
すなわち、無線リソース制御部３０１１は、端末装置１各々に対して、第１のＵＬ参照ＵＬ−ＤＬ設定、第２のＵＬ参照ＵＬ−ＤＬ設定、第１のＤＬ参照ＵＬ−ＤＬ設定、第２のＤＬ参照ＵＬ−ＤＬ設定、および、第３のＵＬ−ＤＬ設定を設定する。
【０３１９】
上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０３２０】
上位層処理部３０１が備える送信制御部３０１５は、送信部３０７に対して、ＤＣＩフォーマットに付加されたＣＲＣパリティビットのスクランブルに用いられたＲＮＴＩに基づいてＰＤＳＣＨをリソースエレメントにマップし、該ＰＤＳＣＨでの送信を行うよう制御する。ここで、送信制御部３０１５の機能は、送信部３０７に含まれてもよい。
【０３２１】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０３２２】
受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０３２３】
無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０３２４】
多重分離部３０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０３２５】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０３２６】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部３０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０３２７】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０３２８】
符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０３２９】
下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０３３０】
無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０３３１】
より具体的には、本実施形態における端末装置１は、第１のＵＬ−ＤＬ設定（ＵＬ参照ＵＬ−ＤＬ設定）をセットし、第２のＵＬ−ＤＬ設定（ＤＬ参照ＵＬ−ＤＬ設定）をセットし、第３のＵＬ−ＤＬ設定をセットする制御部（無線リソース制御部１０１１）を備える。
【０３３２】
また、本実施形態における端末装置１は、第１のＵＬ−ＤＬ設定（ＵＬ参照ＵＬ−ＤＬ設定）に基づいてスペシャルサブフレームと指示され、第３のＵＬ−ＤＬ設定に基づいて下りリンクサブフレームと指示されたサブフレームにおいて、Ｃ−ＲＮＴＩ、または、ＳＰＳ  Ｃ−ＲＮＴＩによってスクランブルされたＣＲＣパリティビットが付加された下りリンク制御情報フォーマット１Ａを検出した場合には、Ｃ−ＲＮＴＩによってスクランブルされたＣＲＣパリティビットが付加された下りリンク制御情報フォーマット１Ａを検出したサブフレームと同一のサブフレームにおいて、第３のＵＬ−ＤＬ設定に基づいて下りリンクサブフレームを想定して、対応するＰＤＳＣＨをデコードする受信部（受信部１０５）を備える。
【０３３３】
また、本実施形態における端末装置１は、第１のＵＬ−ＤＬ設定（ＵＬ参照ＵＬ−ＤＬ設定）に基づいてスペシャルサブフレームと指示され、第３のＵＬ−ＤＬ設定に基づいて下りリンクサブフレームと指示されたサブフレームにおいて、ＲＡ−ＲＮＴＩ、Ｐ−ＲＮＴＩ、または、ＳＩ−ＲＮＴＩによってスクランブルされたＣＲＣパリティビットが付加された下りリンク制御情報フォーマット１Ａを検出した場合には、ＲＡ−ＲＮＴＩ、Ｐ−ＲＮＴＩ、または、ＳＩ−ＲＮＴＩによってスクランブルされたＣＲＣパリティビットが付加された下りリンク制御情報フォーマット１Ａを検出したサブフレームと同一のサブフレームにおいて、第１のＵＬ−ＤＬ設定（ＵＬ参照ＵＬ−ＤＬ設定）に基づいてスペシャルサブフレームを想定して、対応するＰＤＳＣＨをデコードする受信部（受信部１０５）を備える。
【０３３４】
また、受信部（受信部１０５）は、第１のＵＬ−ＤＬ設定（ＵＬ参照ＵＬ−ＤＬ設定）に基づいてスペシャルサブフレームと指示され、第３のＵＬ−ＤＬ設定に基づいてスペシャルサブフレームと指示されたサブフレームにおいて、下りリンク制御情報フォーマット１Ａを検出した場合には、下りリンク制御情報フォーマット１Ａを検出したサブフレームと同一のサブフレームにおいて、スペシャルサブフレームを想定して、対応するＰＤＳＣＨをデコードしてもよい。
【０３３５】
また、受信部（受信部１０５）は、第３のＵＬ−ＤＬ設定をセットしていない場合には、第１のＵＬ−ＤＬ設定（ＵＬ参照ＵＬ−ＤＬ設定）に基づいてスペシャルサブフレームと指示されたサブフレームにおいて、下りリンク制御情報フォーマット１Ａを検出した場合には、下りリンク制御情報フォーマット１Ａを検出したサブフレームと同一のサブフレームにおいて、第１のＵＬ−ＤＬ設定（ＵＬ参照ＵＬ−ＤＬ設定）に基づいてスペシャルサブフレームを想定して、対応するＰＤＳＣＨをデコードしてもよい。
【０３３６】
また、本実施形態における基地局装置３は、第１のＵＬ−ＤＬ設定（ＵＬ参照ＵＬ−ＤＬ設定）をセットし、第２のＵＬ−ＤＬ設定（ＤＬ参照ＵＬ−ＤＬ設定）をセットし、第３のＵＬ−ＤＬ設定をセットする制御部（無線リソース制御部３０１１）を備える。
【０３３７】
また、本実施形態における基地局装置３は、第１のＵＬ−ＤＬ設定（ＵＬ参照ＵＬ−ＤＬ設定）に基づいてスペシャルサブフレームと指示し、第３のＵＬ−ＤＬ設定に基づいて下りリンクサブフレームと指示したサブフレームにおいて、Ｃ−ＲＮＴＩ、または、ＳＰＳ  Ｃ−ＲＮＴＩによってスクランブルされたＣＲＣパリティビットが付加された下りリンク制御情報フォーマット１Ａを用いてＰＤＳＣＨをスケジュールした場合には、Ｃ−ＲＮＴＩ、または、ＳＰＳ  Ｃ−ＲＮＴＩによってスクランブルされたＣＲＣパリティビットが付加された下りリンク制御情報フォーマット１Ａに対応するＰＤＳＣＨを、第３のＵＬ−ＤＬ設定に基づいて下りリンクサブフレームを想定して、リソースエレメントにマップする送信部（送信部３０７）を備える。
【０３３８】
また、本実施形態における基地局装置３は、  第１のＵＬ−ＤＬ設定（ＵＬ参照ＵＬ−ＤＬ設定）に基づいてスペシャルサブフレームと指示し、第３のＵＬ−ＤＬ設定に基づいて下りリンクサブフレームと指示したサブフレームにおいて、ＲＡ−ＲＮＴＩ、Ｐ−ＲＮＴＩ、または、ＳＩ−ＲＮＴＩによってスクランブルされたＣＲＣパリティビットが付加された下りリンク制御情報フォーマット１Ａを用いてＰＤＳＣＨをスケジュールした場合には、ＲＡ−ＲＮＴＩ、Ｐ−ＲＮＴＩ、または、ＳＩ−ＲＮＴＩによってスクランブルされたＣＲＣパリティビットが付加された下りリンク制御情報フォーマット１Ａに対応するＰＤＳＣＨを、第１のＵＬ−ＤＬ設定（ＵＬ参照ＵＬ−ＤＬ設定）に基づいて下りリンクサブフレームを想定して、リソースエレメントにマップする送信部（送信部３０７）を備える。
【０３３９】
また、送信部（送信部３０７）は、第１のＵＬ−ＤＬ設定（ＵＬ参照ＵＬ−ＤＬ設定）に基づいてスペシャルサブフレームと指示し、前記第３のＵＬ−ＤＬ設定に基づいてスペシャルサブフレームと指示したサブフレームにおいて、下りリンク制御情報フォーマット１Ａを用いてＰＤＳＣＨをスケジュールした場合には、下りリンク制御情報フォーマット１Ａに対応するＰＤＳＣＨを、スペシャルサブフレームを想定して、リソースエレメントにマップする。
【０３４０】
また、送信部（送信部３０７）は、第３のＵＬ−ＤＬ設定をセットしていない場合には、第１のＵＬ−ＤＬ設定（ＵＬ参照ＵＬ−ＤＬ設定）に基づいてスペシャルサブフレームと指示したサブフレームにおいて、下りリンク制御情報フォーマット１Ａを用いてＰＤＳＣＨをスケジュールした場合には、下りリンク制御情報フォーマット１Ａに対応するＰＤＳＣＨを、第１のＵＬ−ＤＬ設定（ＵＬ参照ＵＬ−ＤＬ設定）に基づいてスペシャルサブフレームを想定して、リソースエレメントにマップする。
【０３４１】
上述したように、基地局装置３および端末装置１は、ＤＣＩフォーマットに付加されたＣＲＣパリティビットがいずれのＲＮＴＩによってスクランブルされているかに基づいて、ＰＤＳＣＨでの受信処理を行うサブフレームを下りリンクサブフレームまたはスペシャルサブフレームとして想定し、対応するＰＤＳＣＨをデコードしてもよい。すなわち、基地局装置３および端末装置１は、ＤＣＩフォーマットに付加されたＣＲＣパリティビットがいずれのＲＮＴＩによってスクランブルされているかに基づいて、ＰＤＳＣＨが、異なる方法（基準、条件）でリソースエレメントにマップされていることを想定しもよい。
【０３４２】
また、端末装置１が、ＲＡ−ＲＮＴＩ、Ｐ−ＲＮＴＩ、または、ＳＩ−ＲＮＴＩによってスクランブルされたＣＲＣパリティビットが付加されたＤＣＩフォーマットを用いてＰＤＳＣＨがスケジュールされた場合には、ＵＬ参照ＵＬ−ＤＬ設定に基づいて下りリンクサブフレームを想定して、ＰＤＳＣＨをデコードすることによって、無線通信システムにおいて、端末装置１と、過去にリリースされた端末装置（例えば、LTE Rel.8からLTE Rel.10の何れかに対応する端末装置）とを共存させることが可能となり、より効率的な通信を行うことができる。
【０３４３】
上述したように、基地局装置３および端末装置１は、ＰＤＳＣＨがＰＤＣＣＨをともなうかどうかに基づいて、ＰＤＳＣＨでの受信処理を行うサブフレームを下りリンクサブフレームまたはスペシャルサブフレームとして想定し、対応するＰＤＳＣＨをデコードしてもよい。すなわち、基地局装置３および端末装置１は、ＰＤＳＣＨがＰＤＣＣＨをともなうかどうかに基づいて、ＰＤＳＣＨが、異なる方法（基準、条件）でリソースエレメントにマップされていることを想定しもよい。
【０３４４】
これにより、下りリンクデータの送受信を効率的に行なうことができる。
【０３４５】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０３４６】
尚、上述した実施形態における端末装置１、基地局装置３の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０３４７】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３４８】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０３４９】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０３５０】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０３５１】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０３５２】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０３５３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０３５４】
本発明は、携帯電話、パーソナル・コンピュータ、タブレット型コンピュータなどに適用できる。
【符号の説明】
【０３５５】
１（１Ａ、１Ｂ、１Ｃ）    端末装置
３    基地局装置
１０１    上位層処理部
１０３    制御部
１０５    受信部
１０７    送信部
３０１    上位層処理部
３０３    制御部
３０５    受信部
３０７    送信部
１０１１    無線リソース制御部
１０１３    スケジューリング情報解釈部
１０１５    受信制御部
３０１１    無線リソース制御部
３０１３    スケジューリング部
３０１５    送信制御部
【図１】
0006521863.tif 000002
【図２】
0006521863.tif 000003
【図３】
0006521863.tif 000004
【図４】
0006521863.tif 000005
【図５】
0006521863.tif 000006
【図６】
0006521863.tif 000007
【図７】
0006521863.tif 000008
【図８】
0006521863.tif 000009
【図９】
0006521863.tif 000010
【図１０】
0006521863.tif 000011
【図１１】
0006521863.tif 000012
【図１２】
0006521863.tif 000013
【図１３】
0006521863.tif 000014
【図１４】
0006521863.tif 000015
【図１５】
0006521863.tif 000016
【図１６】
0006521863.tif 000017
【図１７】
0006521863.tif 000018
【図１８】
0006521863.tif 000019
【図１９】
0006521863.tif 000020